(57)【特許請求の範囲】
【請求項１】
ワイヤレス通信システムにおけるワイヤレス通信デバイスによる間欠受信（ＤＲＸ）動作のための方法であって、
フレームインデックスをブロードキャストすることと、前記フレームインデックスが、少なくとも１つのレガシーユーザ機器（ＵＥ）によって第１のＤＲＸモードのために利用される反復フレームサイクルのシステムフレーム番号（ＳＦＮ）を決定するために使用され、前記少なくとも１つのレガシーＵＥが、拡張ＳＦＮ範囲を使用するように構成されない、
反復ハイパーフレームサイクルのハイパーフレームインデックスをブロードキャストすることと、各ハイパーフレームサイクルが複数のフレームサイクルを備え、少なくとも１つの非レガシーＵＥによって第２のＤＲＸモードのために利用され、前記少なくとも１つの非レガシーＵＥが、前記拡張ＳＦＮ範囲を使用するように構成される、
前記第１のＤＲＸモードのために利用可能な最大ＤＲＸサイクルよりも大きい拡張ＤＲＸサイクルに従って、前記第２のＤＲＸモードのために前記少なくとも１つの非レガシーＵＥを構成することと、
前記拡張ＤＲＸサイクルにおける少なくとも１つのページングオケージョンにおいて前記少なくとも１つの非レガシーＵＥのためのページング情報を送信することと、ここにおいて、前記少なくとも１つのページングオケージョンが、拡張ＵＥ識別子に基づいて決定され、前記拡張ＵＥ識別子が、前記反復フレームサイクルのインデックスの数よりも大きい可能な値の範囲を有する、
を備える、方法。
【請求項２】
前記第２のＤＲＸモードのための前記拡張ＤＲＸサイクルをブロードキャストすることをさらに備える、請求項１に記載の方法。
【請求項３】
前記ページング情報が、ページング情報を受信するために前記少なくとも１つのレガシーＵＥによって使用される第１の無線ネットワーク一時識別子（ＲＮＴＩ）とは異なる第２のＲＮＴＩによって識別される、請求項１に記載の方法。
【請求項４】
前記ハイパーフレームインデックスをブロードキャストすることが、前記フレームインデックスをブロードキャストするために使用される第１の情報ブロックとは異なる第２の情報ブロックを使用して、前記ハイパーフレームインデックスを送信することを備える、請求項１に記載の方法。
【請求項５】
システム情報の修正を前記拡張ＤＲＸサイクルに同期させることをさらに備える、請求項１に記載の方法。
【請求項６】
前記フレームインデックスをブロードキャストすることが、物理ブロードキャストチャネルを介して前記フレームインデックスを送信することを備える、請求項１に記載の方法。
【請求項７】
前記第２のＤＲＸモードがアイドルＤＲＸ（Ｉ−ＤＲＸ）モードを備える、請求項１に記載の方法。
【請求項８】
ワイヤレス通信システムにおけるワイヤレス通信デバイスによる間欠受信（ＤＲＸ）動作のための方法であって、
フレームインデックスを計算することと、前記フレームインデックスが、第１のＤＲＸモードのためにレガシーユーザ機器（ＵＥ）によって利用される反復フレームサイクルのシステムフレーム番号（ＳＦＮ）を示し、前記レガシーＵＥが、拡張ＳＦＮ範囲を使用するように構成されない、
反復ハイパーフレームサイクルのハイパーフレームインデックスを受信することと、
前記フレームインデックスと前記ハイパーフレームインデックスとに基づいて、反復拡張フレームサイクルの拡張フレームインデックスを決定することと、
第２のＤＲＸモードの拡張ＤＲＸサイクルのための構成を識別することと、ここにおいて、前記拡張ＤＲＸサイクルが、前記第１のＤＲＸモードのために利用可能な最大ＤＲＸサイクルよりも大きい、
拡張ＵＥ識別子に基づいて、少なくとも１つのページングオケージョンを決定することと、前記拡張ＵＥ識別子が、前記反復フレームサイクルのインデックスの数よりも大きい可能な値の範囲を有する、
前記拡張ＤＲＸサイクルに従って前記拡張フレームサイクルの前記少なくとも１つのページングオケージョンを監視することと、
前記少なくとも１つのページングオケージョンにおいてページング情報を受信することと
を備える、方法。
【請求項９】
前記ページング情報が、ページング情報を受信するために前記レガシーＵＥによって使用される第１の無線ネットワーク一時識別子（ＲＮＴＩ）とは異なる第２のＲＮＴＩによって識別される、請求項８に記載の方法。
【請求項１０】
前記フレームインデックスを計算することが、物理ブロードキャストチャネルを介して前記フレームインデックスを受信することを備える、請求項８に記載の方法。
【請求項１１】
前記第２のＤＲＸモードがアイドルＤＲＸ（Ｉ−ＤＲＸ）モードを備える、請求項８に記載の方法。
【請求項１２】
ワイヤレス通信システムにおける間欠受信（ＤＲＸ）動作のための装置であって、
プロセッサと、
前記プロセッサと電子通信しているメモリ、および前記メモリに記憶された命令とを備え、前記命令は、
フレームインデックスをブロードキャストすることと、前記フレームインデックスが、少なくとも１つのレガシーユーザ機器（ＵＥ）によって第１のＤＲＸモードのために利用される反復フレームサイクルのシステムフレーム番号（ＳＦＮ）を決定するために使用され、前記少なくとも１つのレガシーＵＥが、拡張ＳＦＮ範囲を使用するように構成されない、
反復ハイパーフレームサイクルのハイパーフレームインデックスをブロードキャストすることと、各ハイパーフレームサイクルが複数のフレームサイクルを備え、少なくとも１つの非レガシーＵＥによって第２のＤＲＸモードのために利用され、前記少なくとも１つの非レガシーＵＥが、前記拡張ＳＦＮ範囲を使用するように構成される、
前記第１のＤＲＸモードのために利用可能な最大ＤＲＸサイクルよりも大きい拡張ＤＲＸサイクルに従って、前記第２のＤＲＸモードのために前記少なくとも１つの非レガシーＵＥを構成することと、
前記拡張ＤＲＸサイクルの少なくとも１つのページングオケージョンにおいて前記少なくとも１つの非レガシーＵＥのためのページング情報を送信することと、ここにおいて、前記少なくとも１つのページングオケージョンが、拡張ＵＥ識別子に基づいて決定され、前記拡張ＵＥ識別子が、前記反復フレームサイクルのインデックスの数よりも大きい可能な値の範囲を有する、
を行うために前記プロセッサによって実行可能である、装置。
【請求項１３】
ワイヤレス通信システムにおける間欠受信（ＤＲＸ）動作のための装置であって、
プロセッサと、
前記プロセッサと電子通信しているメモリ、および前記メモリに記憶された命令とを備え、前記命令は、
フレームインデックスを計算することと、前記フレームインデックスが、第１のＤＲＸモードのためにレガシーユーザ機器（ＵＥ）によって利用される反復フレームサイクルのシステムフレーム番号（ＳＦＮ）を示し、前記レガシーＵＥが、拡張ＳＦＮ範囲を使用するように構成されない、
反復ハイパーフレームサイクルのハイパーフレームインデックスを受信することと、
前記フレームインデックスと前記ハイパーフレームインデックスとに基づいて、反復拡張フレームサイクルの拡張フレームインデックスを決定することと、
第２のＤＲＸモードの拡張ＤＲＸサイクルのための構成を識別することと、ここにおいて、前記拡張ＤＲＸサイクルが、前記第１のＤＲＸモードのために利用可能な最大ＤＲＸサイクルよりも大きい、
拡張ＵＥ識別子に基づいて、少なくとも１つのページングオケージョンを決定することと、前記拡張ＵＥ識別子が、前記反復フレームサイクルのインデックスの数よりも大きい可能な値の範囲を有する、
前記拡張ＤＲＸサイクルに従って前記拡張フレームサイクルの前記少なくとも１つのページングオケージョンを監視することと、
前記少なくとも１つのページングオケージョンにおいてページング情報を受信することと
を行うために前記プロセッサによって実行可能である、装置。
【請求項１４】
コンピュータプログラムがコンピュータシステムによって実行されるとき、前記コンピュータシステムに、請求項１〜請求項７のうちのいずれか一項の方法のステップを実行させるための命令を備える、コンピュータプログラム。
【請求項１５】
コンピュータプログラムがコンピュータシステムによって実行されるとき、前記コンピュータシステムに、請求項８〜請求項１１のうちのいずれか一項の方法のステップを実行させるための命令を備える、コンピュータプログラム。
【発明の詳細な説明】
【技術分野】
【０００１】
相互参照
[0001]本特許出願は、各々が本出願の譲受人に譲渡された、２０１５年８月４日に出願された、「RAN Procedures for Extended Discontinuous Reception (DRX)」と題する、Ｖａｊａｐｅｙａｍらによる米国特許出願第１４／８１８，１４１号、および２０１４年８月６日に出願された、「RAN Procedures for Extended Discontinuous Reception (DRX)」と題する、Ｖａｊａｐｅｙａｍらによる米国仮特許出願第６２／０３４，０８７号の優先権を主張する。
【０００２】
[0002]本開示は、たとえば、ワイヤレス通信システムに関し、より詳細には、改善された性能および電力節約のために間欠受信（ＤＲＸ：discontinuous reception）を向上させることに関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]例として、ワイヤレス多元接続通信システムは、各々が、場合によってはユーザ機器（ＵＥ）として知られる、複数の通信デバイスのための通信を同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、ＵＥと通信し得る。
【０００５】
[0005]ＵＥは、データを連続的に受信または送信しないことがある。いくつかの場合には、ＵＥは間欠受信（ＤＲＸ）サイクルを利用し得、間欠受信（ＤＲＸ）サイクルの間に、ＵＥは、電力を節約するためにいくつかの無線構成要素を周期的にオフにし、次いで、データが受信のために利用可能であり得るという指示を送信または監視するためのデータをＵＥが有する場合、それらの構成要素を再アクティブ化する。ＤＲＸ動作モードは、ＵＥによって消費される電力量を大幅に低減することができる。
【発明の概要】
【０００６】
[0006]説明する特徴は、一般に、ハイパーフレーム拡張シグナリング（hyper frame extension signaling）を使用して間欠受信（ＤＲＸ：discontinuous reception）動作を拡張するための１つまたは複数の改善されたシステム、方法、および／または装置に関する。説明する特徴は、レガシーシステムフレーム番号（ＳＦＮ：system frame number）とハイパーＳＦＮとに基づく拡張フレームサイクルを使用して拡張ＤＲＸサイクル（extended DRX cycles）を非レガシーユーザ機器（ＵＥ）に対して与えながら、ＤＲＸモードのための反復フレームサイクル（repeating frame cycle）を用いてレガシーＵＥをサポートすることを含む。セルが、拡張フレームサイクルに従って拡張ＤＲＸ動作のためのデフォルト拡張ＤＲＸサイクルをブロードキャストし得る。追加または代替として、非レガシーＵＥはＵＥ固有拡張ＤＲＸサイクルを要求し得る。拡張ＤＲＸを使用して動作するＵＥのためのページングは、同じページングリソース上で既存のＤＲＸモードを使用するＵＥのためのページングと共存し得る。追加または代替として、ページングは、別個のページングオケージョン（separate paging occasions）または新しいページング無線ネットワーク一時識別子（ＲＮＴＩ： radio network temporary identifier）を使用する拡張ＤＲＸモードＵＥのために区別され得る。
【０００７】
[0007]ワイヤレス通信システムにおけるＤＲＸ動作のための方法について説明し、本方法は、フレームインデックスをブロードキャストすることと、フレームインデックスが、少なくとも１つのレガシーＵＥによって第１のＤＲＸモードのために利用される反復フレームサイクルのフレーム番号を決定するために使用される、および、反復ハイパーフレームサイクル（hyper frame cycle）のハイパーフレームインデックス（hyper frame index）をブロードキャストすることと、各ハイパーフレームサイクルが複数のフレームサイクルを備え、少なくとも１つの非レガシーＵＥによって第２のＤＲＸモードのために利用される、を含む。
【０００８】
[0008]ワイヤレス通信システムにおけるＤＲＸ動作のための装置について説明し、本装置は、フレームインデックスをブロードキャストするための手段と、フレームインデックスが、少なくとも１つのレガシーＵＥによって第１のＤＲＸモードのために利用される反復フレームサイクルのフレーム番号を決定するために使用される、および、反復ハイパーフレームサイクルのハイパーフレームインデックスをブロードキャストするための手段と、各ハイパーフレームサイクルが複数のフレームサイクルを備え、少なくとも１つの非レガシーＵＥによって第２のＤＲＸモードのために利用される、を含む。
【０００９】
[0009]ワイヤレス通信システムにおけるＤＲＸ動作のための装置について説明し、本装置は、プロセッサと、プロセッサと電子通信しているメモリ、およびメモリに記憶された命令とを含む。態様では、命令は、フレームインデックスをブロードキャストすることと、フレームインデックスが、少なくとも１つのレガシーＵＥによって第１のＤＲＸモードのために利用される反復フレームサイクルのフレーム番号を決定するために使用される、および、反復ハイパーフレームサイクルのハイパーフレームインデックスをブロードキャストすることと、各ハイパーフレームサイクルが複数のフレームサイクルを備え、少なくとも１つの非レガシーＵＥによって第２のＤＲＸモードのために利用される、を行うためにプロセッサによって実行可能である。
【００１０】
[0010]ワイヤレス通信システムにおけるＤＲＸ動作のためのコードを記憶する非一時的コンピュータ可読媒体について説明する。態様では、コードは、フレームインデックスをブロードキャストすることと、フレームインデックスが、少なくとも１つのレガシーＵＥによって第１のＤＲＸモードのために利用される反復フレームサイクルのフレーム番号を決定するために使用される、および、反復ハイパーフレームサイクルのハイパーフレームインデックスをブロードキャストすることと、各ハイパーフレームサイクルが複数のフレームサイクルを備え、少なくとも１つの非レガシーＵＥによって第２のＤＲＸモードのために利用される、を行うためのプロセッサによって実行可能な命令を含む。
【００１１】
[0011]上記で説明した方法のいくつかの例は、第１のＤＲＸモードのために利用可能な最大ＤＲＸサイクルよりも大きい拡張ＤＲＸサイクルに従って、第２のＤＲＸモードのために少なくとも１つの非レガシーＵＥを構成することを含み得る。上記で説明した方法のいくつかの例は、第２のＤＲＸモードのための拡張ＤＲＸサイクルをブロードキャストすることを含み得る。上記で説明した方法のいくつかの例は、拡張ＤＲＸサイクルのページングオケージョンにおいて少なくとも１つの非レガシーＵＥのためのページング情報を送信することを含み得る。ページング情報は、ページング情報を受信するために少なくとも１つのレガシーＵＥによって使用される第１のＲＮＴＩとは異なる第２のＲＮＴＩによって識別され得る。上記で説明した方法のいくつかの例は、システム情報の修正を拡張ＤＲＸサイクルに同期させることを含み得る。上記で説明した装置および／または非一時的コンピュータ可読媒体のいくつかの例は、これらの特徴を実行するための手段、これらの特徴を実行するためのプロセッサによって実行可能である命令、および／またはこれらの特徴を実行するためのコードを含み得る。
【００１２】
[0012]上記で説明した方法のいくつかの例では、ハイパーフレームインデックスをブロードキャストすることは、フレームインデックスをブロードキャストするために使用される第１の情報ブロックとは異なる第２の情報ブロックを使用して、ハイパーフレームインデックスを送信することを含む。上記で説明した方法のいくつかの例では、フレームインデックスをブロードキャストすることは、物理ブロードキャストチャネルを介してフレームインデックスを送信することを備える。上記で説明した方法のいくつかの例では、ハイパーフレームインデックスをブロードキャストすることは、物理ダウンリンクデータチャネルを介してシステム情報ブロック（ＳＩＢ：system information block）中でハイパーフレームインデックスを送信することを備える。上記で説明した装置および／または非一時的コンピュータ可読媒体のいくつかの例では、これらの特徴を実行するための手段、これらの特徴を実行するためのプロセッサによって実行可能である命令、および／またはこれらの特徴を実行するためのコードを含み得る。
【００１３】
[0013]上記で説明した方法、装置、および／または非一時的コンピュータ可読媒体のいくつかの例では、第２のＤＲＸモードはアイドルＤＲＸ（Ｉ−ＤＲＸ：idle DRX）モードである。
【００１４】
[0014]ワイヤレス通信システムにおけるＤＲＸ動作のための方法について説明し、本方法は、フレームインデックスを計算することと、フレームインデックスが、第１のＤＲＸモードのためにレガシーＵＥによって利用される反復フレームサイクルのフレーム番号を示す、反復ハイパーフレームサイクルのハイパーフレームインデックスを受信することと、フレームインデックスとハイパーフレームインデックスとに基づいて、反復拡張フレームサイクルの拡張フレームインデックスを決定することと、第２のＤＲＸモードの拡張ＤＲＸサイクルのための構成を識別することと、ここにおいて、拡張ＤＲＸサイクルが、第１のＤＲＸモードのために利用可能な最大ＤＲＸサイクルよりも大きい、および、拡張ＤＲＸサイクルに従って拡張フレームサイクルの少なくとも１つのページングオケージョンを監視することとを含む。
【００１５】
[0015]ワイヤレス通信システムにおけるＤＲＸ動作のための装置について説明し、本装置は、フレームインデックスを計算するための手段と、フレームインデックスが、第１のＤＲＸモードのためにレガシーＵＥによって利用される反復フレームサイクルのフレーム番号を示す、反復ハイパーフレームサイクルのハイパーフレームインデックスを受信するための手段と、フレームインデックスとハイパーフレームインデックスとに基づいて、反復拡張フレームサイクルの拡張フレームインデックスを決定するための手段と、第２のＤＲＸモードの拡張ＤＲＸサイクルのための構成を識別するための手段と、ここにおいて、拡張ＤＲＸサイクルが、第１のＤＲＸモードのために利用可能な最大ＤＲＸサイクルよりも大きい、および、拡張ＤＲＸサイクルに従って拡張フレームサイクルの少なくとも１つのページングオケージョンを監視するための手段とを含む。
【００１６】
[0016]プロセッサと、プロセッサと電子通信しているメモリ、およびメモリに記憶された命令とを含む、ワイヤレス通信システムにおけるＤＲＸ動作のための装置について説明し、命令は、フレームインデックスを計算することと、フレームインデックスが、第１のＤＲＸモードのためにレガシーＵＥによって利用される反復フレームサイクルのフレーム番号を示す、反復ハイパーフレームサイクルのハイパーフレームインデックスを受信することと、フレームインデックスとハイパーフレームインデックスとに基づいて、反復拡張フレームサイクルの拡張フレームインデックスを決定することと、第２のＤＲＸモードの拡張ＤＲＸサイクルのための構成を識別することと、ここにおいて、拡張ＤＲＸサイクルが、第１のＤＲＸモードのために利用可能な最大ＤＲＸサイクルよりも大きい、および、拡張ＤＲＸサイクルに従って拡張フレームサイクルの少なくとも１つのページングオケージョンを監視することとを行うためにプロセッサによって実行可能である。
【００１７】
[0017]ワイヤレス通信システムにおけるＤＲＸ動作のためのコードを記憶する非一時的コンピュータ可読媒体について説明する。いくつかの例では、コードは、フレームインデックスを計算することと、フレームインデックスが、第１のＤＲＸモードのためにレガシーＵＥによって利用される反復フレームサイクルのフレーム番号を示す、反復ハイパーフレームサイクルのハイパーフレームインデックスを受信することと、フレームインデックスとハイパーフレームインデックスとに基づいて、反復拡張フレームサイクルの拡張フレームインデックスを決定することと、第２のＤＲＸモードの拡張ＤＲＸサイクルのための構成を識別することと、ここにおいて、拡張ＤＲＸサイクルが、第１のＤＲＸモードのために利用可能な最大ＤＲＸサイクルよりも大きい、および、拡張ＤＲＸサイクルに従って拡張フレームサイクルの少なくとも１つのページングオケージョンを監視することとを行うためのプロセッサによって実行可能な命令を含む。
【００１８】
[0018]上記で説明した方法のいくつかの例は、反復フレームサイクルのインデックスの数よりも大きい可能な値の範囲を有する拡張ＵＥ識別子に基づいて、少なくとも１つのページングオケージョンを決定することを含み得る。上記で説明した方法のいくつかの例は、少なくとも１つのページングオケージョンにおいてページング情報を受信することを含み得る。ページング情報は、ページング情報を受信するためにレガシーＵＥによって使用される第１のＲＮＴＩとは異なる第２のＲＮＴＩによって識別され得る。上記で説明した装置および／または非一時的コンピュータ可読媒体のいくつかの例は、これらの特徴を実行するための手段、これらの特徴を実行するためのプロセッサによって実行可能である命令、および／またはこれらの特徴を実行するためのコードを含み得る。
【００１９】
[0019]上記で説明した方法のいくつかの例では、フレームインデックスを計算することは、物理ブロードキャストチャネルを介してフレームインデックスを受信することを備える。上記で説明した方法のいくつかの例では、ハイパーフレームインデックスを受信することは、物理ダウンリンクデータチャネルを介してＳＩＢにおいてハイパーフレームインデックスを受信することを備える。上記で説明した装置および／または非一時的コンピュータ可読媒体のいくつかの例は、これらの特徴を実行するための手段、これらの特徴を実行するためのプロセッサによって実行可能である命令、および／またはこれらの特徴を実行するためのコードを含み得る。
【００２０】
[0020]上記で説明した方法、装置、および／または非一時的コンピュータ可読媒体のいくつかの例では、第２のＤＲＸモードはＩ−ＤＲＸモードである。
【００２１】
[0021]上記では、以下の詳細な説明がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲から逸脱しない。本明細書で開示する概念の特性、それらの編成と動作方法の両方は、関連する利点とともに、添付の図に関連して以下の説明を検討するとより良く理解されよう。図の各々は、例示および説明のみの目的で提供され、特許請求の範囲を定めるものではない。
【００２２】
[0022]本発明の性質および利点のさらなる理解は、以下の図面を参照して実現され得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図面の簡単な説明】
【００２３】
【図１】[0023]本開示の様々な態様による、ワイヤレス通信システムのブロック図。
【図２】[0024]本開示の様々な態様による、ハイパーフレーム拡張シグナリングの一例を示す流れ図。
【図３】[0025]本開示の様々な態様による、例示的なハイパーフレームタイミングのタイミング図。
【図４】[0026]本開示の様々な態様による、例示的なレガシーＤＲＸ動作および拡張ＤＲＸ動作のタイミング図。
【図５】[0027]本開示の様々な態様による、拡張システム情報修正期間の一例を示すタイミング図。
【図６】[0028]本開示の様々な態様による、ワイヤレス通信において使用するためのデバイスのブロック図。
【図７】[0029]本開示の様々な態様による、ワイヤレス通信において使用するために構成されたデバイスのブロック図。
【図８】[0030]本開示の様々な態様による、ワイヤレス通信において使用するための装置のブロック図。
【図９】[0031]本開示の様々な態様による、ワイヤレス通信において使用するためのデバイスのブロック図。
【図１０】[0032]本開示の様々な態様による、ワイヤレス通信において使用するためのデバイスのブロック図。
【図１１】[0033]本開示の様々な態様による、ワイヤレス通信において使用するための基地局のブロック図。
【図１２】[0034]本開示の様々な態様による、ワイヤレス通信のための方法の一例を示すフローチャート。
【図１３】[0035]本開示の様々な態様による、ワイヤレス通信のための方法の一例を示すフローチャート。
【図１４】[0036]本開示の様々な態様による、ワイヤレス通信のための方法の一例を示すフローチャート。
【詳細な説明】
【００２４】
[0037]ハイパーフレーム拡張シグナリングを使用する拡張ＤＲＸ（ｅ−ＤＲＸ：extended DRX）動作のための１つまたは複数の改善されたシステム、方法、および／または装置に一般的に関する技法について説明する。ハイパーフレーム拡張シグナリングは、拡張システムフレーム番号（ＳＦＮ）範囲を使用するように構成されないレガシーデバイスのための後方互換性を維持しながら、ＳＦＮ範囲を拡張し得る。ハイパーＳＦＮ拡張シグナリングは、システム情報の一部として送信されるハイパーＳＦＮへのインデックスを含み得る。ハイパーＳＦＮを使用するように構成されたＵＥ（たとえば、非レガシーＵＥ）は、レガシーＳＦＮ範囲（legacy SFN range）とハイパーＳＦＮ範囲とを含むより長いＳＦＮインデックスを、効果的に使用し得る。ハイパーＳＦＮ拡張は、同じページングリソース上の既存のＩ−ＤＲＸモードと共存し得る拡張アイドルＤＲＸ（ｅＩ−ＤＲＸ：extended idle DRX）モードで使用され得る。ページング監視リソースは、ページングリソースを示すか、または場合によってはページングリソースを決定するのを助け得るリソースであり得る。追加または代替として、ページングは、別個のページングオケージョン、または新しいページング無線ネットワーク一時識別子（ＲＮＴＩ）、を使用するｅＩ−ＤＲＸモードＵＥのために区別され得る。
【００２５】
[0038]以下の説明は、例を与えるものであり、特許請求の範囲に記載される範囲、適用性、または例を限定するものではない。本開示の範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わせられ得る。
【００２６】
[0039]図１に、本開示の様々な態様による、ワイヤレス通信システム１００の一例を示す。ワイヤレス通信システム１００は、基地局１０５と、ＵＥ１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して互いと直接または間接的に（たとえば、コアネットワーク１３０を通して）通信し得る。
【００２７】
[0040]基地局１０５は、１つまたは複数の基地局アンテナを介してＵＥ１１５とワイヤレス通信し得る。基地局１０５のサイトの各々は、それぞれの地理的カバレージエリア１１０に対して通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロセル基地局および／またはスモールセル基地局）を含み得る。異なる技術のための重複する地理的カバレージエリア１１０があり得る。
【００２８】
[0041]いくつかの例では、ワイヤレス通信システム１００はＬＴＥ／ＬＴＥ−Ａネットワークである。ＬＴＥ／ＬＴＥ−Ａネットワークでは、発展型ノードＢ（ｅＮＢ）という用語は、概して、基地局１０５を表すために使用され得、ＵＥという用語は、概して、ＵＥ１１５を表すために使用され得る。ワイヤレス通信システム１００は、異なるタイプのｅＮＢが様々な地理的領域に対してカバレージを与える、異機種ＬＴＥ／ＬＴＥ−Ａネットワークであり得る。たとえば、各ｅＮＢまたは基地局１０５は、マクロセル、スモールセル、および／または他のタイプのセルに対して通信カバレージを与え得る。「セル」という用語は、コンテキストに応じて、基地局、基地局に関連するキャリア、あるいはキャリアまたは基地局のカバレージエリア（たとえば、セクタなど）を表すために使用され得る３ＧＰＰ用語である。
【００２９】
[0042]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）をもカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００３０】
[0043]ワイヤレス通信システム１００は同期動作または非同期動作をサポートし得る。同期動作の場合、基地局は同様のフレームタイミングを有し得、異なる基地局からの送信は近似的に時間的に整列され得る。非同期動作の場合、基地局は異なるフレームタイミングを有し得、異なる基地局からの送信は時間的に整列されないことがある。本明細書で説明する技法は、同期動作または非同期動作のいずれかのために使用され得る。
【００３１】
[0044]様々な開示する例のうちのいくつかに適応し得る通信ネットワークは、階層化プロトコルスタックに従って動作するパケットベースネットワークであり得る。ユーザプレーンでは、ベアラまたはパケットデータ・コンバージェンス・プロトコル（ＰＤＣＰ：Packet Data Convergence Protocol）レイヤにおける通信はＩＰベースであり得る。無線リンク制御（ＲＬＣ：Radio Link Control）レイヤが、論理チャネルを介して通信するためにパケットセグメンテーションおよびリアセンブリを実行し得る。媒体アクセス制御（ＭＡＣ：Medium Access Control）レイヤが、優先度ハンドリングと、トランスポートチャネルへの論理チャネルの多重化とを実行し得る。ＭＡＣレイヤはまた、リンク効率を改善するためにＭＡＣレイヤにおいて再送信を行うためにハイブリッドＡＲＱ（ＨＡＲＱ）を使用し得る。制御プレーンでは、無線リソース制御（ＲＲＣ：Radio Resource Control）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００３２】
[0045]ＵＥ１１５はワイヤレス通信システム１００全体にわたって分散され、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語をも含むか、あるいは当業者によってそのような用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む様々なタイプの基地局およびネットワーク機器と通信することが可能であり得る。
【００３３】
[0046]ワイヤレス通信システム１００に示されている通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。各通信リンク１２５は１つまたは複数のキャリアを含み得、ここで、各キャリアは、（たとえば、基準信号、制御情報、オーバーヘッド情報、ユーザデータなどの）情報を用いて変調された複数のサブキャリア（たとえば、異なる周波数の信号）からなる波形信号であり得る。通信リンク１２５は、（たとえば、対スペクトルリソースを使用する）ＦＤＤまたは（たとえば、不対スペクトルリソースを使用する）ＴＤＤ動作を使用して、双方向通信を送信し得る。
【００３４】
[0047]ＬＴＥ／ＬＴＥ−Ａは、ダウンリンク上では直交周波数分割多元接続（ＯＦＤＭＡ）を利用し、アップリンク上ではシングルキャリア周波数分割多元接続（ＳＣ−ＦＤＭＡ）を利用する。ＯＦＤＭＡおよび／またはＳＣ−ＦＤＭＡキャリアは、一般にトーン、ビンなどとも呼ばれる複数（Ｋ個）の直交サブキャリアに区分され得る。各サブキャリアは情報で変調され得る。隣接するサブキャリア間の間隔は固定であり得、サブキャリアの総数（Ｋ）はキャリア帯域幅に依存し得る。たとえば、Ｋは、それぞれ、１．４、３、５、１０、１５、または２０メガヘルツ（ＭＨｚ）の（ガードバンドをもつ）対応するキャリア帯域幅に対して、１５キロヘルツ（ＫＨｚ）のサブキャリア間隔の場合、７２、１８０、３００、６００、９００、または１２００に等しくなり得る。キャリア帯域幅はまた、サブバンドに区分され得る。たとえば、サブバンドは１．０８ＭＨｚをカバーし得、キャリアは１つ、２つ、４つ、８つまたは１６個のサブバンドを有し得る。
【００３５】
[0048]システム１００のいくつかの実施形態では、基地局１０５および／またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５および／またはＵＥ１１５は、同じまたは異なるコード化データを搬送する複数の空間レイヤを送信するために、マルチパス環境を上手く利用し得る多入力多出力（ＭＩＭＯ）技法を採用し得る。
【００３６】
[0049]ワイヤレス通信システム１００は、複数のセルまたはキャリア上での動作、すなわち、キャリアアグリゲーション（ＣＡ）またはマルチキャリア動作と呼ばれることがある特徴をサポートし得る。「コンポーネントキャリア」（ＣＣ）という用語は、ＣＡ動作においてＵＥによって利用される複数のキャリアの各々を指すことがあり、システム帯域幅の他の部分（たとえば、他のキャリアなど）とは異なり得る。ＣＡ動作では、ＵＥ１１５は、より大きい動作帯域幅、および、たとえば、より高いデータレートを与えるために、複数のダウンリンクおよび／またはアップリンクＣＣを同時に利用するように構成され得る。ＣＡ動作において使用されるＣＣは、任意の好適な帯域幅（たとえば、１．４、３、５、１０、１５、または２０メガヘルツ（ＭＨｚ）など）であり得、各個々のＣＣは、たとえば、ＬＴＥ規格のリリース８またはリリース９に基づいてシングルキャリアと同じ能力を与え得る。したがって、個々のＣＣは、ＬＴＥリリース８またはリリース９を実装するＵＥ１１５との後方互換性があるが、ＣＡのために構成された、リリース８／９後のＬＴＥバージョンを実装するまたはシングルキャリアモードにあるＵＥ１１５によっても利用され得る。代替的に、ＣＣは、他のＣＣと組み合わせて使用されるように構成され得、シングルキャリアモードをサポートするために使用されるいくつかのチャネル（たとえば、フォーマットまたは制御チャネルなど）を搬送しないことがある。ＣＡは、ＦＤＤコンポーネントキャリアとＴＤＤコンポーネントキャリアの両方とともに使用され得る。
【００３７】
[0050]ＬＴＥ／ＬＴＥ−Ａでは、各セルのための無線フレームは、サブフレーム番号（ＳＦＮ）によってインデックス付けされる。ＳＦＮが１０ビットを有し、各無線フレームが１０ｍｓ長であるので、１０２４個の無線フレームの各フレームサイクルは、１０．２４ｓにわたる。ＳＦＮの８つの最上位ビットは、各無線フレーム中で送信されるマスタ情報ブロック（ＭＩＢ：master information block）においてブロードキャストされる。２つの最下位ビットは、１つの完全なブロードキャストチャネル（ＢＣＨ）送信時間間隔（ＴＴＩ）を送信するために使用される４つの無線フレームサイクルから推論され得る。以下でさらに詳細に説明するように、いくつかの事例では、所与の長さのＳＦＮを有するサブフレームのセットのためにフレームサイクルを拡張するための追加のビットが、ＳＦＮ中に含まれ得る。追加のビットは、たとえば、１０ビットのレガシーＳＦＮ長に付加され得る。いくつかの態様では、１０ビットレガシーＳＦＮは、フレームサイクルが約６５５．３６秒にわたることを可能にするために６ビットだけ拡張され得る。より長いフレームサイクルは、より長いアイドルモードＤＲＸサイクル、またはｅＩ−ＤＲＸの実装を容易にし得る。
【００３８】
[0051]ＵＥ１１５は、リムーバブルであるか、またはＵＥ１１５に永続的にインストールされ得るモジュール（たとえば、加入者識別モジュール（ＳＩＭ）など）に記憶され得る、国際モバイル加入者アイデンティティ（ＩＭＳＩ）などの永続的加入者アイデンティティによって識別され得る。概して、ＵＥ１１５は、アイドルモード（ＲＲＣ＿Ｉｄｌｅ）または接続モード（ＲＲＣ＿Ｃｏｎｎｅｃｔｅｄ）のいずれかにあり得る。アイドルモードでは、ＵＥ１１５は、セル選択および再選択を実行し、それ自体をネットワーク内に登録するが、ユーザデータをアクティブに通信しない。ＵＥ１１５はまた、着信データ（incoming data）（たとえば、呼など）、システム情報の変化、および通知（たとえば、緊急通知など）を識別、受信、または処理するためにアイドルモードでページングメッセージをリッスンする。ページングメッセージを監視することは、ページング無線ネットワーク一時識別子（Ｐ−ＲＮＴＩ：paging radio network temporary identifier）でスクランブルされたページング制御メッセージについて所定の間隔においてＰＤＣＣＨを監視することを含む。見つけられた場合、ページング制御メッセージは、ＵＥ１１５のためのページング情報について、ページングメッセージへのポインタを与える。アイドル状態中にページング制御メッセージについてＰＤＣＣＨを不連続的に監視するプロセスは、アイドル間欠受信（Ｉ−ＤＲＸ）として知られる。
【００３９】
[0052]ページングメッセージが受信されたとき、ＵＥ１１５は、ｅＮＢ１０５とＵＥ１１５との間のデータの転送のための接続モードに遷移するために、ランダムアクセスプロシージャを実行する。接続モードでは、ＵＥ１１５は、接続プロシージャにおいてｅＮＢ１０５によって割り当てられたセル無線ネットワーク一時識別子（Ｃ−ＲＮＴＩ：cell radio network temporary identifier）に従って、ＰＤＣＣＨを連続的に監視する。いくつかの事例では、ＵＥ１１５はまた、接続ＤＲＸ（Ｃ−ＤＲＸ：connected DRX）として知られる、接続モードでのＤＲＸ動作のために構成され得る。
【００４０】
[0053]Ｉ−ＤＲＸでは、ＵＥ１１５は、ＤＲＸサイクルによって決定されたページングサイクルに従って、ページングについてＰＤＣＣＨを監視する。各セルは、３２、６４、１２４、または２５６の値を有するセル固有ＤＲＸサイクルをブロードキャストする。ＵＥ１１５は、アタッチ要求（attach request）内で異なるＵＥ固有ＤＲＸサイクルを要求することができる。ＵＥが要求することができる値の範囲は、セル固有ＤＲＸサイクルのために利用可能な値と同じである。したがって、ＬＴＥにおける最大ＤＲＸサイクルは２．５６ｓである。
【００４１】
[0054]ページング制御メッセージがＰ−ＲＮＴＩを用いてＵＥ１１５にアドレス指定され得るサブフレームは、ページングオケージョン（paging occasion）として知られる。ページングフレーム（ＰＦ：paging frame）は、１つまたは複数のＰＯを含んでいる無線フレームである。ＰＦは、以下の式を満たすサブフレームとして、ＤＲＸパラメータによって決定される。  
【００４２】
【数１】
0006577019.tif 000002
【００４３】
上式で、
Ｔ：ＵＥのＤＲＸサイクル。Ｔは、割り当てられた場合はＵＥ固有ＤＲＸ値の、およびセルによってブロードキャストされたデフォルトＤＲＸ値の、最も短いものである。  
ｎＢ：セル固有ＤＲＸサイクル（４Ｔ、２Ｔ、Ｔ、Ｔ／２、Ｔ／４、Ｔ／８、Ｔ／１６、Ｔ／３２）におけるページングオケージョンの数。  
Ｎ：ｍｉｎ（Ｔ，ｎＢ）  
ＵＥ＿ＩＤ：ＩＭＳＩ  ｍｏｄ  １０２４。
【００４４】
[0055]以下の表１および表２に示されている、サブフレームパターン内のＰＯを指すインデックスｉ＿ｓが、以下の式から導出される。  
【００４５】
【数２】
0006577019.tif 000003
【００４６】
上式で、  
Ｎｓ：ｍａｘ（１，ｎＢ／Ｔ）。  
【００４７】
【表１】
0006577019.tif 000004
【００４８】
[0056]現在のＩ−ＤＲＸ機構は、高度の接続性が望まれるスマートフォンなどのデバイスのために十分であり得るが、いくつかのデバイスは、現在の最大ＤＲＸサイクルを非効率的にする異なる電力および接続性要件を有し得る。たとえば、マシンタイプ通信デバイスなどのデバイスは、まれにアクティブであり得、より限られた電力バジェット（more limited power budget）を有し得る。マシンタイプ通信（ＭＴＣ：machine type communication）は、通信の少なくとも１つの端部上の少なくとも１つのリモートデバイスに関与する通信を指すことがあり、必ずしも人間の対話を必要とするとは限らない１つまたは複数のエンティティを伴うデータ通信の形態を含み得る。いくつかのＵＥは、基地局、別のリモートデバイス、または何らかの他のエンティティと通信し得る、センサー、メーター、ロケーションタグなどのリモートデバイスを含み得る、マシンタイプ通信（ＭＴＣ）ＵＥと見なされ得る。ＭＴＣ  ＵＥは、たとえば、パブリックランドモバイルネットワーク（ＰＬＭＮ）を介した、ＭＴＣサーバおよび／または他のＭＴＣデバイスとのＭＴＣ通信が可能であるＵＥを含み得る。
【００４９】
[0057]１つの提案するソリューションは、接続モードからアイドルモードに遷移した後にアクティブタイマーが満了したとき、ＵＥが電力節約モード（ＰＳＭ：Power Saving Mode）に入ることを可能にする。ＰＳＭでは、ＵＥは、ページングに到達不可能であり、アクセス層アクティビティを停止する。ＰＳＭは、モバイル発信（ＭＯ：mobile originated）データが生成された場合、または周期トラッキングエリア更新（ＴＡＵ：tracking area update）タイマーに基づいて、終了される。アクティブタイマーおよび周期ＴＡＵタイマーは、ＵＥおよびｅＮＢによってネゴシエートされ得る。しかしながら、ＰＳＭを出ると、ＵＥはＴＡＵプロシージャを実行し、ＴＡＵプロシージャは、ＵＥに割り当てられたトラッキングエリアを更新するためにＲＲＣシグナリングおよび非アクセス層（ＮＡＳ：non-access stratum）シグナリングを交換するためのランダムアクセスプロシージャを含む。したがって、このプロシージャは、各ＰＳＭ期間の終了時にＴＡＵプロシージャにおいてかなりの電力消費を招く。
【００５０】
[0058]ＵＥ１１５およびｅＮＢ１０５など、システム１００の構成要素は、ハイパーＳＦＮ拡張シグナリングを使用する拡張ＤＲＸ（ｅ−ＤＲＸ）動作のために構成され得る。ハイパーＳＦＮ拡張シグナリングは、拡張ＳＦＮ範囲を使用するように構成されていないレガシーＵＥのための（たとえば、同じセル上の）後方互換性を維持しながら、ＳＦＮ範囲を拡張し得る。ハイパーＳＦＮ拡張シグナリングは、システム情報の一部として送信されるハイパーＳＦＮへのインデックスを含み得る。ハイパーＳＦＮを使用するように構成されたＵＥ（たとえば、非レガシーＵＥ）は、レガシーＳＦＮ範囲とハイパーＳＦＮ範囲とを含む拡張ＳＦＮ範囲へのより長いまたは拡張されたＳＦＮインデックスを、効果的に使用し得る。ハイパーＳＦＮ拡張は、同じページングリソース上の既存のＩ−ＤＲＸモードと共存し得る拡張アイドルＤＲＸ（ｅＩ−ＤＲＸ）モードで使用され得る。ページング監視リソースは、ページングリソースを示すか、または場合によってはページングリソースを決定するのを助け得る、リソースであり得る。追加または代替として、ページングは、別個のページングオケージョンまたは新しいページングＲＮＴＩを使用するｅＩ−ＤＲＸモードＵＥのために区別され得る。明快のために、本開示は、Ｉ−ＤＲＸ動作に適用される拡張ＤＲＸ動作のための技法について説明する。しかしながら、ハイパーＳＦＮ拡張シグナリングを使用してＤＲＸ動作を拡張するための説明する技法は、いくつかの事例では、Ｃ−ＤＲＸ動作に適用され得る。
【００５１】
[0059]図２に、本開示の様々な態様による、ハイパーＳＦＮ拡張シグナリングの一例を示す流れ図２００を示す。流れ図２００は、たとえば、ｅＩ−ＤＲＸ動作のためにハイパーＳＦＮシグナリングを使用するように構成されたＵＥ１１５−ａ（たとえば、非レガシーＵＥ）のためのメッセージフローを示し得る。非レガシーＵＥ１１５−ａは、図１に示されているＵＥ１１５のうちの１つの一例であり得る。
【００５２】
[0060]図１のｅＮＢ１０５のうちの１つの一例であり得るｅＮＢ１０５−ａが、流れ図２００に示されている。流れ図２００はまた、モビリティ管理エンティティ（ＭＭＥ）２８０、サービングゲートウェイ（ＳＧＷ）２８５、およびパケットゲートウェイ（Ｐ−ＧＷ）２９０を示しており、これらは、図１に示されているコアネットワーク１３０の一部であり得る。
【００５３】
[0061]ｅＮＢ１０５−ａは、レガシーＳＦＮ範囲へのインデックスであり得るフレームインデックス２０５をブロードキャストし得る。たとえば、ｅＮＢ１０５−ａは、ＭＩＢにおいてＳＦＮの８つの最上位ビットを送信し得る。ＭＩＢは、物理ブロードキャストチャネル（ＰＢＣＨ：physical broadcast channel）を介して送信され得る。
【００５４】
[0062]ｅＮＢ１０５−ａはまた、ハイパーフレームインデックス２１０をブロードキャストし得る。ハイパーフレームインデックス２１０は、ＭＩＢとは異なるシステム情報ブロック（ＳＩＢ）の一部としてハイパーＳＦＮへのインデックスを送信することによってブロードキャストされ得る。たとえば、ハイパーＳＦＮへのインデックスは、ＳＩＢ１またはＳＩＢ２において送信され得る。ＳＩＢ１およびＳＩＢ２は、データチャネル（たとえば、ＰＤＳＣＨ）を介して送信され得る。ハイパーＳＦＮ中のビット数は、ｅＩ−ＤＲＸ動作において所望の範囲を与える拡張ＳＦＮを与えるために選択され得る。たとえば、ハイパーＳＦＮは、ＳＦＮを６ビットだけ拡張し得、これは、６５５．３６ｓ（約１１分）のハイパーＳＦＮスパンを可能にする。図３に、本開示の様々な態様による、例示的な拡張ＳＦＮフレームタイミングのタイミング図３００を示す。タイミング図３００は、６４個のＳＦＮサイクル３１０を含む６ビットハイパーＳＦＮサイクル３２０を示し、ここで、各ＳＦＮサイクル３１０が１０２４個のフレームを含む。したがって、ハイパーＳＦＮおよびレガシーＳＦＮによってインデックス付けされた、拡張ＳＦＮサイクルは、６５，５３６個のフレームにわたる。ハイパーＳＦＮのための他のビット長（たとえば、４、５、７、８、１０など）が、適宜にまたは必要に応じて選択され得る。
【００５５】
[0063]図２に戻ると、ｅＮＢ１０５−ａはまた、拡張ＤＲＸサイクル２１５をブロードキャストし得る。ブロードキャストされた拡張ＤＲＸサイクル２１５は、ｅＩ−ＤＲＸページングサイクルのためのデフォルト拡張ＤＲＸサイクルを示し得る。拡張ＤＲＸサイクル２１５は、ＳＩＢ（たとえば、ＳＩＢ１、ＳＩＢ２など）において送信され得、ハイパーＳＦＮと同じビット数を有し得る。
【００５６】
[0064]流れ図２００に示されているように、ＵＥ１１５−ａは、２２０において、ｅＮＢ１０５−ａとのＲＲＣ接続を確立し得る。ＵＥ１１５−ａは、２２５において、ネットワークアタッチメントおよびトラッキングエリア更新（ＴＡＵ）を実行し得る。ネットワークアタッチメントおよびＴＡＵプロシージャは、ネットワーク上のＵＥ１１５−ａの認証と、セキュリティセットアップと、ネットワークを介した通信のためのネットワークリソース（たとえば、ＭＭＥ２８０、ベアラなど）の割当てとを含み得る。
【００５７】
[0065]通信アクティビティが継続中でない場合、ＵＥ１１５−ａは、２３０において、ＲＲＣ接続を解放し得る。ＵＥ１１５−ａは、次いで、２３５において、ネットワークからページングを受信するためのｅＩ−ＤＲＸ動作モードに入り得る。したがって、ＵＥ１１５−ａは、２３５において、ｅＩ−ＤＲＸ動作のための決定されたＰＦおよびＰＯに従い得る。ｅＩ−ＤＲＸ動作のためのＰＦおよびＰＯを決定することについて、以下でより詳細に説明する。
【００５８】
[0066]ＵＥ１１５−ａのためのダウンリンクデータ２４０は、受信され、Ｐ−ＧＷ２９０からＳＧＷ２８５に転送され得る。ＳＧＷ２８５は、２４２において、ＭＭＥ２８０にダウンリンクデータを通知し得る。ＭＭＥ２８０は、２４５において、ダウンリンクデータ通知２４２に肯定応答し得る。ＳＧＷ２８５は、次いで、２５０において、ダウンリンクデータを記憶し得る。
【００５９】
[0067]ＭＭＥ２８０は、ＵＥ１１５−ａのためのトラッキングエリア内のｅＮＢ１０５にページングメッセージ２５５を送り得る。ｅＮＢ１０５−ａは、ｅＩ−ＤＲＸページングサイクルに従って決定されたＵＥ１１５−ａのためのＰＯにおいて、ページングメッセージ２６０をブロードキャストし得る。ＵＥは、ページングメッセージ２６０を受信し得、ダウンリンクデータ２４０は、２６５において、サービス要求のための通信において転送され得る。
【００６０】
[0068]図４に、本開示の様々な態様による、例示的なレガシーＤＲＸ動作およびｅＩ−ＤＲＸ動作のタイミング図４００を示す。レガシーＤＲＸ動作の場合、ＤＲＸサイクルＴ＝３２個のフレーム（３２０ｍｓ）およびページングオケージョンパラメータｎＢ＝Ｔ／２である。したがって、ＵＥ＿ＩＤ＝０をもつレガシーＵＥの場合、レガシーＵＥ  ＰＦ４１５は、ＳＦＮ  ｍｏｄ  ３２＝０である無線フレームである。
【００６１】
[0069]ｅＩ−ＤＲＸ動作の場合、ＰＦおよびＰＯは以下の式によって決定され、ｅＩ−ＤＲＸパラメータはシステム情報（たとえば、ＭＩＢ、ＳＩＢ１、ＳＩＢ２など）において与えられ得る。  
ＰＦ’は、以下を満たすｅＩ−ＤＲＸ動作のためのページングサブフレームであり得る。  
【００６２】
【数３】
0006577019.tif 000005
【００６３】
（たとえば、上記の表１および表２から）ＰＯ’を決定するためのインデックスｉ＿ｓ’は、以下によって与えられ得る。  
【００６４】
【数４】
0006577019.tif 000006
【００６５】
上式で、  
Ｔ’：ＵＥのｅＩ−ＤＲＸサイクル。Ｔ’は、割り当てられた場合はＵＥ固有ｅＩ−ＤＲＸ値の、およびセルによってブロードキャストされたデフォルトｅＩ−ＤＲＸ値の、最も短いものであり得る。  
ｎＢ’：ｅＩ−ＤＲＸサイクル（４Ｔ’、２Ｔ’、Ｔ’、Ｔ’／２、Ｔ’／４、Ｔ’／８、Ｔ’／１６、Ｔ’／３２）におけるページングオケージョンの数。  
Ｎ’：ｍｉｎ（Ｔ’，ｎＢ’）  
Ｎｓ’：ｍａｘ（１，ｎＢ’／Ｔ’）  
ＵＥ＿ＩＤ’：ＩＭＳＩ  ｍｏｄ  ２＾ｎ。
【００６６】
[0070]タイミング図４００では、ｅＩ−ＤＲＸサイクルＴ’＝２＾１５＝３２７６８＝３２７．６８ｓであり、ｅＩ−ＤＲＸ動作のためのページングオケージョンパラメータｎＢ’は、Ｔ’／２＝０．５Ｔ’である。ページングオケージョンパラメータｎＢ’は、図４中でレガシーＤＲＸ動作のためのページングオケージョンパラメータｎＢと同じ係数（たとえば、０．５）によって定義されて示されているが、パラメータｎＢ’は異なる係数を有し得る。ｅＩ−ＤＲＸ動作のためのページングオケージョンパラメータｎＢ’は、たとえば、レガシーＤＲＸ動作のためのページングオケージョンパラメータｎＢとは別に（たとえば、ＳＩＢ１またはＳＩＢ２などにおいて）送信され得る。
【００６７】
[0071]図４に示されているようにｅＩ−ＤＲＸ動作における非レガシーＵＥ１１５の場合、ＵＥ＿ＩＤ’は３０であり得る。ＵＥ＿ＩＤ’は、ｅＩ−ＤＲＸ動作のために使用されるハイパーＳＦＮ範囲中のページングフレームの増加により、レガシーＵＥのためのＵＥ＿ＩＤと比較して拡張された範囲を備え得る。たとえば、ＵＥ＿ＩＤ’は、ＵＥ＿ＩＤ’＝（ＩＭＳＩ  ｍｏｄ  ２＾ｎ）として定義され得、ここで、ｎはレガシーＳＦＮ範囲ＲLEGACYおよび／またはハイパーＳＦＮ範囲ＲHYPERに基づいて決定され得る。たとえば、ｎは、ｎ＝ｌｏｇ2（ＲLEGACY）＋ｌｏｇ2（ＲHYPER）＋ｃとして決定され得、ここで、ｃはｅＩ−ＤＲＸサイクルごとの複数（たとえば、２つ、４つなど）のページングオケージョンの可能性を考慮し得る。一実施形態では、ｅＩ−ＤＲＸサイクルにおけるページングオケージョンの数は、（４Ｔ’、２Ｔ’、Ｔ’、Ｔ’／２、Ｔ’／４、Ｔ’／８、Ｔ’／１６、Ｔ’／３２）の様々な値を有し得、パラメータｃは２であり得る。したがって、各フレームサイクルが１０２４個の無線フレームを含むレガシーフレームサイクルである、６４フレームサイクル（ＲHYPER＝６４）を有するハイパーＳＦＮサイクルの場合、ｎは１８に等しくなり得る。
【００６８】
[0072]図４に示されているように、例示的な非レガシーＵＥ１１５は、Ｔ’＝３２７．６８ｓの拡張ページングサイクル４２０と、ＳＦＮ’ｍｏｄ  Ｔ’＝２＊ＵＥ＿ＩＤ’＝６０を有する無線フレームによって定義されるｅＩ−ＤＲＸのためのＰＦ４２５とを有し得る。ＰＦ４２５内のＰＯ４３０は、ｉ＿ｓ’＝０に従って表１および表２によって与えられ得る。
【００６９】
[0073]上記で説明したように、セルは、デフォルトｅＩ−ＤＲＸサイクル値をブロードキャストし得る。追加または代替として、非レガシーＵＥ１１５は、（たとえば、ＲＲＣシグナリングなどを介して）異なるＵＥ固有ｅＩ−ＤＲＸサイクル値を要求し得る。上記で説明したように、拡張ページングサイクルおよびページングフレームを決定するために使用されるＴ’の値は、割り当てられた場合はＵＥ固有ｅＩ−ＤＲＸサイクル値の、およびセルによってブロードキャストされたデフォルトｅＩ−ＤＲＸサイクル値の、最も短いものであり得る。
【００７０】
[0074]場合によっては、レガシーＩ−ＤＲＸモードを使用するレガシーＵＥとｅＩ−ＤＲＸモードを使用する非レガシーＵＥとについて、ページングを区別することが望ましいことがある。いくつかの実施形態では、ｅＩ−ＤＲＸモードのための別個のページングフレームまたはページングオケージョンが定義され得る。たとえば、インデックスｉ＿ｓ’からｅＩ−ＤＲＸモードのためのＰＯを定義するために異なる表が使用され得る。追加または代替として、拡張ページングＲＮＴＩ（ｅＰ−ＲＮＴＩ：extended paging RNTI）がｅＩ−ＤＲＸ  ＵＥのために使用され得る。ｅＰ−ＲＮＴＩは、静的に定義され得るか、またはシステム情報（たとえば、ＳＩＢ１、ＳＩＢ２など）においてセルによってブロードキャストされ得る。
【００７１】
[0075]概して、ブロードキャスト制御チャネル（ＢＣＣＨ）上でブロードキャストされたシステム情報への変更は、修正期間境界（modification period boundaries）に従って行われ得る。修正期間は、デフォルトＤＲＸサイクルと修正期間係数（たとえば、２、４、８、１６）との積によって定義される。システム情報更新が行われる期限になったとき（When system information updates are due to occur）、ｅＮＢ１０５は、概して、前の修正期間中に、次の修正期間に適用される変更のためのページングメッセージを各ＵＥにブロードキャストする。
【００７２】
[0076]場合によっては、ｅＩ−ＤＲＸモードを使用するＵＥは、システム情報のための各修正期間中にページングオケージョンを有しないことがある。したがって、非レガシーＵＥは、ｅＩ−ＤＲＸサイクルが修正期間よりも長い場合、システム情報の変化の通知を逃し得る。実施形態では、ｅＩ−ＤＲＸをサポートするｅＮＢは、ｅＩ−ＤＲＸサイクルに基づいて、拡張システム情報修正期間（extended system information modification period）を利用する。たとえば、拡張システム情報修正期間は、セルのためにブロードキャストされたデフォルトｅＩ−ＤＲＸサイクルに等しくなり得る。
【００７３】
[0077]図５に、本開示の様々な態様による、拡張システム情報修正期間の一例を示すタイミング図５００を示す。タイミング図５００に示されているように、拡張システム情報修正期間５２０は、いくつかのレガシー修正期間５１０にわたり得る。図５に示されているように、レガシーＵＥのための修正指示は、修正期間（ｎ−１）と修正期間（ｎ）との境界上で行われる修正のために、修正期間（ｎ−１）中にページングメッセージにおいて送られ得る。修正期間（ｎ−１）は、拡張システム情報修正期間５２０内の最後の修正期間５１０であり得る。
【００７４】
[0078]上記で説明したように、ｅＩ−ＤＲＸモードにある非レガシーＵＥは、拡張システム情報修正期間５２０中に１つのページングフレームのみを有し得る。しかしながら、修正は、拡張システム情報修正期間５２０の終了まで行われないことがある。非レガシーＵＥは、更新されたシステム情報を様々な方法で監視し得る。一例では、ｅＩ−ＤＲＸモードにある非レガシーＵＥのための修正指示は、システム情報修正が行われる期限になるまでのオフセット（たとえば、修正期間５１０の数、フレームの数など）を示し得る。このようにして、ｅＩ−ＤＲＸモードにある非レガシーＵＥは、システム情報修正が行われる期限になるまで、低電力状態のままであり得る。代替的に、ｅＩ−ＤＲＸモードにある非レガシーＵＥは、拡張システム情報修正期間５２０中に修正指示をもつページングメッセージを受信すると、システム情報の変化が検出されるまで、追加の時間期間においてシステム情報を監視し得る。たとえば、非レガシーＵＥは、各修正期間中に少なくとも１回システム情報更新について確認し得る。代替的に、非レガシーＵＥは、それらのｅＩ−ＤＲＸサイクルの倍数（たとえば、Ｔ’／２、Ｔ’／４など）において（at multiples of）システム情報更新について確認し得る。ＵＥのための構成されたシステム情報は、次いで、変更されたシステム情報に基づいて更新され得る。システム情報の変更が検出されると、非レガシーＵＥは、ページングを監視するためにｅＩ−ＤＲＸサイクルに戻り得る。
【００７５】
[0079]また他の実施形態では、ｅＩ−ＤＲＸモードにある非レガシーＵＥは、拡張システム情報修正期間５２０中に修正指示をもつページングメッセージを受信すると、第２の修正指示をもつ第２のページングメッセージが修正期間（ｎ−１）中に検出されるまで、レガシーＩ−ＤＲＸモードによる動作に切り替わり得る。非レガシーＵＥは、次いで、修正期間（ｎ）中にシステム情報を更新し、次いで、ｅＩ  ＤＲＸモードに戻り得る。
【００７６】
[0080]図６に、本開示の様々な態様による、ワイヤレス通信において使用するためのデバイス６０５のブロック図６００を示す。デバイス６０５は、図１および図２を参照しながら説明したＵＥ１１５の１つまたは複数の態様の一例であり得る。デバイス６０５は、受信機モジュール６１０、ｅＩ−ＤＲＸモジュール６１５、および／または送信機モジュール６２０を含み得る。デバイス６０５はまた、プロセッサ（図示せず）であるか、またはそれを含み得る。これらのモジュールの各々は互いと通信していることがある。
【００７７】
[0081]デバイス６０５の構成要素は、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各モジュールの機能はまた、全体的または部分的に、１つまたは複数の汎用または特定用途向けプロセッサによって実行されるようにフォーマットされた、メモリに具現化された命令を用いて実装され得る。
【００７８】
[0082]受信機モジュール６１０は、パケット、ユーザデータ、および／または様々な情報チャネル（たとえば、制御チャネル、データチャネルなど）に関連する制御情報などの情報を受信し得る。受信機モジュール６１０は、ＳＦＮおよび／またはハイパーＳＦＮを含むシステム情報、および／またはｅＩ−ＤＲＸサイクルを構成するためのパラメータを受信するように構成され得る。システム情報は、ｅＩ−ＤＲＸモジュール６１５に、およびデバイス６０５の他の構成要素に受け渡され得る。
【００７９】
[0083]ｅＩ−ＤＲＸモジュール６１５は、ハイパーＳＦＮフレームサイクルにインデックス付けされ得るｅＩ−ＤＲＸサイクルのための構成を識別し得る。ｅＩ−ＤＲＸサイクルは複数のレガシーＳＦＮフレームサイクルを含み得、したがって、レガシーＵＥのために利用可能な最大ＤＲＸサイクルよりも大きくなり得る。ｅＩ−ＤＲＸサイクルは、セルのためのデフォルトｅＩ−ＤＲＸサイクルに従って構成され得るか、またはＵＥは、いくつかの場合には、異なるｅＩ−ＤＲＸサイクルを要求し得る。ｅＩ−ＤＲＸモジュール６１５は、ｅＩ−ＤＲＸサイクルに従って監視するためのページングオケージョンを決定し得、決定されたページングオケージョンを（たとえば、受信機６１０を介して）監視し得る。ｅＩ−ＤＲＸサイクルのためのページングオケージョンを決定することは、図４を参照しながら上記で説明したように実行され得る。
【００８０】
[0084]送信機モジュール６２０は、デバイス６０５の他の構成要素から受信された１つまたは複数の信号を送信し得る。たとえば、送信機モジュール６２０は、アタッチ要求（attach requests）、ページング応答、パケットデータなどを送信し得る。いくつかの例では、送信機モジュール６２０は、トランシーバモジュールにおいて受信機モジュール６１０とコロケートされ得る。
【００８１】
[0085]図７に、様々な例による、ワイヤレス通信において使用するためのデバイス６０５−ａのブロック図７００を示す。デバイス６０５−ａは、図１および図２を参照しながら説明したＵＥ１１５の１つまたは複数の態様の一例であり得る。それはまた、図６を参照しながら説明したデバイス６０５の一例であり得る。デバイス６０５−ａは、受信機モジュール６１０−ａ、ｅＩ−ＤＲＸモジュール６１５−ａ、および／または送信機モジュール６２０−ａを含み得、これらは、デバイス６０５の対応するモジュールの例であり得る。デバイス６０５−ａは、プロセッサ（図示せず）をも含み得る。これらの構成要素の各々は互いに通信していることがある。ｅＩ−ＤＲＸモジュール６１５−ａは、拡張フレームサイクルモジュール７０５と、ｅＩ−ＤＲＸ構成モジュール７１０と、ｅＩ−ＤＲＸ監視モジュール７１５とを含み得る。受信機モジュール６１０−ａおよび送信機モジュール６２０−ａは、それぞれ、図６の受信機モジュール６１０および送信機モジュール６２０の機能を実行し得る。
【００８２】
[0086]拡張フレームサイクルモジュール７０５は、受信機６１０−ａから、ＳＦＮおよび／またはハイパーＳＦＮインデックスを含むシステム情報を受信し得る。拡張フレームサイクルモジュール７０５は、ＳＦＮおよびハイパーＳＦＮインデックスに基づいて、拡張ＳＦＮフレームサイクル（たとえば、ハイパーＳＦＮサイクル３２０）の各無線フレームのための拡張ＳＦＮを決定し得る。ＳＦＮインデックスは、物理ブロードキャストチャネルを介して受信され得るが、ハイパーＳＦＮインデックスは、物理ダウンリンクデータチャネルを介してＳＩＢブロック中で受信され得る。
【００８３】
[0087]ｅＩ−ＤＲＸ構成モジュール７１０は、デバイス６０５−ａのためのｅＩ−ＤＲＸ動作のための構成を識別し得る。たとえば、ｅＩ−ＤＲＸ構成モジュール７１０は、ｅＩ−ＤＲＸ動作のためのパラメータＴ’、ｎＢ’、Ｎ’、Ｎｓ’、ＵＥ＿ＩＤ’を決定し得、ｅＩ−ＤＲＸサイクルのためのページングフレームとページングオケージョンとを決定し得る。ｅＩ−ＤＲＸ動作のためのページングフレームおよびページングオケージョンを決定することは、図４を参照しながら上記で説明したように実行され得る。ｅＩ−ＤＲＸ構成モジュール７１０は、セルのためにブロードキャストされたデフォルトｅＩ−ＤＲＸサイクルからｅＩ−ＤＲＸサイクルを決定し得るか、またはｅＩ−ＤＲＸ構成モジュール７１０は、（たとえば、ＲＲＣシグナリングなどを介して）ＵＥ固有ｅＩ−ＤＲＸサイクルを要求し得る。
【００８４】
[0088]ｅＩ−ＤＲＸ監視モジュール７１５は、拡張フレームサイクルモジュール７０５によって決定されたハイパーフレームサイクルの少なくとも１つのページングオケージョンを監視することを実行し得る。たとえば、ｅＩ−ＤＲＸ監視モジュール７１５は、受信機６１０−ａを介して、ｅＩ−ＤＲＸ構成モジュール７１０によって決定されたページングオケージョンにおいてページングメッセージを監視し得る。ｅＩ−ＤＲＸ監視モジュール７１５は、いくつかの実施形態では、Ｐ−ＲＮＴＩ、またはＰ−ＲＮＴＩとは異なるｅＰ−ＲＮＴＩに従って、ページングメッセージについてページングオケージョンを監視し得る。
【００８５】
[0089]図８に、様々な例による、ワイヤレス通信において使用するためのシステムの８００を示す。システム８００は、図１および図２のＵＥ１１５の一例であり得るＵＥ１１５−ｂを含み得る。ＵＥ１１５−ｂはまた、図６および図７のデバイス６０５の１つまたは複数の態様の一例であり得る。
【００８６】
[0090]ＵＥ１１５−ｂは、概して、通信を送信するための構成要素と通信を受信するための構成要素とを含む、双方向音声およびデータ通信のための構成要素を含み得る。ＵＥ１１５−ｂは、（１つまたは複数の）アンテナ８４０と、トランシーバモジュール８３５と、プロセッサモジュール８０５と、（ソフトウェア（ＳＷ）８２０を含む）メモリ８１５とを含み得、それらはそれぞれ、（たとえば、１つまたは複数のバス８４５を介して）直接または間接的に互いに通信し得る。トランシーバモジュール８３５は、上記で説明したように、（１つまたは複数の）アンテナ８４０および／あるいは１つまたは複数のワイヤードまたはワイヤレスリンクを介して、１つまたは複数のネットワークと双方向に通信するように構成され得る。たとえば、トランシーバモジュール８３５は、図１、図２、および図１１を参照しながら説明した基地局１０５と双方向に通信するように構成され得る。トランシーバモジュール８３５は、パケットを変調し、変調されたパケットを送信のために（１つまたは複数の）アンテナ８４０に与え、（１つまたは複数の）アンテナ８４０から受信されたパケットを復調するように構成されたモデムを含み得る。ＵＥ１１５−ｂは単一のアンテナ８４０を含み得るが、ＵＥ１１５−ａは、複数のワイヤレス送信を同時に送信および／または受信することが可能な複数のアンテナ８４０を有し得る。トランシーバモジュール８３５は、複数のコンポーネントキャリアを介して１つまたは複数の基地局１０５と同時に通信することが可能であり得る。
【００８７】
[0091]ＵＥ１１５−ｂは、ハイパーＳＦＮ拡張シグナリングを使用するｅＩ−ＤＲＸ動作に関係する、図２、図３、図４、図５、図６および／または図７を参照しながら説明した特徴および／または機能の一部または全部を実行および／または制御するように構成され得る、ｅＩ−ＤＲＸモジュール６１５−ｂを含み得る。ｅＩ−ＤＲＸモジュール６１５−ｂはプロセッサを含み得、ならびに／あるいはｅＩ−ＤＲＸモジュール６１５−ｂの機能の一部または全部は、プロセッサモジュール８０５によってならびに／またはプロセッサモジュール８０５およびメモリ８１５とともに実行され得る。たとえば、ｅＩ−ＤＲＸモジュール６１５−ｂは、ソフトウェア／ファームウェアコード８２０の一部であり得、プロセッサモジュール８０５に本明細書で説明する様々な機能（たとえば、ＳＦＮインデックスを受信すること、ハイパーＳＦＮインデックスを受信すること、ｅＩ−ＤＲＸ構成を識別すること、ｅＩ−ＤＲＸ構成に従ってページングオケージョンを監視することなど）を実行させるように構成された命令を含み得る。いくつかの例では、ｅＩ−ＤＲＸモジュール６１５−ｂは、図６および／または図７を参照しながら説明したｅＩ−ＤＲＸモジュール６１５の一例であり得る。
【００８８】
[0092]メモリ８１５は、ランダムアクセスメモリ（ＲＡＭ）および読取り専用メモリ（ＲＯＭ）を含み得る。メモリ８１５は、実行されたとき、プロセッサモジュール８０５に本明細書で説明する様々な機能を実行させるように構成された命令を含んでいるコンピュータ可読、コンピュータ実行可能ソフトウェア／ファームウェアコード８２０を記憶し得る。代替的に、コンピュータ可読、コンピュータ実行可能ソフトウェア／ファームウェアコード８２０は、プロセッサモジュール８０５によって直接的に実行可能でないことがあるが、（たとえば、コンパイルされ、実行されたとき）コンピュータに本明細書で説明する機能を実行させるように構成され得る。プロセッサモジュール８０５は、インテリジェントハードウェアデバイス、たとえば、中央処理ユニット（ＣＰＵ）、マイクロコントローラ、特定用途向け集積回路（ＡＳＩＣ）などを含み得る。
【００８９】
[0093]図９に、本開示の様々な態様による、ワイヤレス通信において使用するための装置９０５のブロック図９００を示す。いくつかの例では、装置９０５は、図１および図２を参照しながら説明した基地局１０５のうちの１つまたは複数の態様の一例であり得る。いくつかの例では、装置９０５は、ＬＴＥ／ＬＴＥ−Ａ  ｅＮＢおよび／またはＬＴＥ／ＬＴＥ−Ａ基地局の一部であるか、またはそれを含み得る。装置９０５はまた、プロセッサであり得る。装置９０５は、受信機モジュール９１０、拡張ＤＲＸマネージャ９１５、および／または送信機モジュール９２０を含み得る。これらのモジュールの各々は互いと通信していることがある。
【００９０】
[0094]装置９０５の構成要素は、ハードウェアで適用可能な機能の一部または全部を実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各構成要素の機能はまた、全体的または部分的に、１つまたは複数の汎用または特定用途向けプロセッサによって実行されるようにフォーマットされた、メモリに具現化された命令を用いて実装され得る。
【００９１】
[0095]いくつかの例では、受信機モジュール９１０は、１つまたは複数のＵＥ１１５から送信を受信するように動作可能な無線周波数（ＲＦ）受信機など、少なくとも１つのＲＦ受信機を含み得る。受信機構成要素９１０は、図１を参照しながら説明したワイヤレス通信システム１００の１つまたは複数の通信リンクなど、ワイヤレス通信システムの１つまたは複数の通信リンク上で様々なタイプのデータおよび／または制御信号（すなわち、送信）を受信するために使用され得る。
【００９２】
[0096]いくつかの例では、送信機モジュール９２０は、１つまたは複数のＵＥ１１５に情報を送信するように動作可能な少なくとも１つのＲＦ送信機など、少なくとも１つのＲＦ送信機を含み得る。送信機モジュール９２０は、図１を参照しながら説明したワイヤレス通信システム１００の１つまたは複数の通信リンクなど、ワイヤレス通信システムの１つまたは複数の通信リンク上で様々なタイプのデータおよび／または制御信号（すなわち、送信）を送信するために使用され得る。
【００９３】
[0097]いくつかの例では、拡張ＤＲＸマネージャ９１５は、レガシーＩ−ＤＲＸモードに従ってレガシーＵＥのためのＩ−ＤＲＸ動作を管理し、ｅＩ−ＤＲＸモードに従って非レガシーＵＥのためのｅＩ−ＤＲＸ動作を管理する。Ｉ−ＤＲＸモードとｅＩ−ＤＲＸモードとは、同じページングリソースを利用し得る。ページング監視リソースは、ページングリソースを示すか、または場合によってはページングリソースを決定するのを助け得る任意のリソースであり得る。Ｉ−ＤＲＸモードはレガシーフレームサイクルに従って動作し得るが、ｅＩ−ＤＲＸモードはハイパーフレームサイクルに従って動作し、ただし、各ハイパーフレームサイクルは複数のレガシーフレームサイクルを含む。拡張ＤＲＸマネージャ９１５は、フレームサイクルへのインデックスとハイパーフレームサイクルへのインデックスとを（たとえば、送信機９２０を介して）ブロードキャストし得る。フレームサイクルインデックスは、（たとえば、ＭＩＢなどにおいて）物理ブロードキャストチャネルを使用してブロードキャストされ得る。ハイパーフレームサイクルインデックスは、物理ダウンリンクデータチャネルを介してＳＩＢにおいてブロードキャストされ得る。
【００９４】
[0098]拡張ＤＲＸマネージャ９１５はセルのための拡張ＤＲＸサイクルをブロードキャストし得る。拡張ＤＲＸサイクルは、レガシーＩ−ＤＲＸモードのための最大ＤＲＸサイクルよりも大きくなり得る。追加または代替として、拡張ＤＲＸマネージャ９１５は、非レガシーＵＥからＵＥ固有ＤＲＸサイクルについての要求を受信し得る。拡張ＤＲＸマネージャ９１５は、ｅＩ−ＤＲＸモードに従って動作する非レガシーＵＥのためのページングフレームとページングオケージョンとを決定し得る。拡張ＤＲＸマネージャ９１５は、非レガシーＵＥのためのｅＩ−ＤＲＸサイクルのページングオケージョンにおいて（たとえば、ダウンリンクデータがネットワーク中に存在するときなどに）ページング情報を送信し得る。拡張ＤＲＸマネージャ９１５は、いくつかの実施形態では、Ｐ−ＲＮＴＩ、またはＰ−ＲＮＴＩとは異なるｅＰ−ＲＮＴＩに従ってページング情報を送信し得る。
【００９５】
[0099]図１０に、本開示の様々な態様による、ワイヤレス通信において使用するための装置９０５−ａのブロック図１０００を示す。いくつかの例では、装置９０５−ａは、図１および図２を参照しながら説明した基地局１０５のうちの１つまたは複数の態様の一例、ならびに／または図９を参照しながら説明した装置９０５の態様の一例であり得る。いくつかの例では、装置９０５−ａは、ＬＴＥ／ＬＴＥ−Ａ  ｅＮＢおよび／またはＬＴＥ／ＬＴＥ−Ａ基地局の一部であるか、またはそれを含み得る。装置９０５−ａはまた、プロセッサであり得る。装置９０５−ａは、受信機モジュール９１０−ａ、拡張ＤＲＸマネージャ９１５−ａ、および／または送信機モジュール９２０−ａを含み得る。拡張ＤＲＸマネージャ９１５−ａは、図９の拡張ＤＲＸマネージャ９１５の一例であり得る。これらのモジュールの各々は互いと通信していることがある。
【００９６】
[00100]装置９０５−ａの構成要素は、ハードウェアで適用可能な機能の一部または全部を実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、および他のセミカスタムＩＣ）が使用され得る。各構成要素の機能はまた、全体的または部分的に、１つまたは複数の汎用または特定用途向けプロセッサによって実行されるようにフォーマットされた、メモリに具現化された命令を用いて実装され得る。
【００９７】
[00101]いくつかの例では、受信機モジュール９１０−ａは、図１０を参照しながら説明した受信機モジュール９１０の１つまたは複数の態様の一例であり得る。いくつかの例では、送信機モジュール９２０−ａは、図１０を参照しながら説明した送信機モジュール９２０の１つまたは複数の態様の一例であり得る。
【００９８】
[00102]拡張ＤＲＸマネージャ９１５−ａは、ハイパーＳＦＮ拡張シグナリングを使用する拡張ＤＲＸ（ｅ−ＤＲＸ）動作のために構成され得る。拡張ＤＲＸマネージャ９１５−ａは、フレームインデックスモジュール１００５、ハイパーフレームインデックスモジュール１０１０、ｅＩ−ＤＲＸ構成マネージャ１０１５、および／またはページングマネージャ１０２０を含み得る。
【００９９】
[00103]フレームインデックスモジュール１００５は、レガシーＳＦＮ範囲へのインデックスであり得るフレームインデックスを（たとえば、送信機９２０−ａを介して）ブロードキャストし得る。たとえば、フレームインデックスモジュール１００５は、ＭＩＢにおいてＳＦＮの８つの最上位ビットを送信し得る。ＭＩＢは、物理ブロードキャストチャネル（ＰＢＣＨ）を介して送信され得る。
【０１００】
[00104]ハイパーフレームインデックスモジュール１０１０は、ハイパーフレームインデックスを（たとえば、送信機９２０−ａを介して）ブロードキャストし得る。ハイパーフレームインデックスは、ＭＩＢとは異なる情報ブロック（たとえば、ＳＩＢなど）の一部としてハイパーＳＦＮへのインデックスを送信することによってブロードキャストされ得る。たとえば、ハイパーＳＦＮへのインデックスは、共有データチャネルを介してＳＩＢ１またはＳＩＢ２において送信され得る。
【０１０１】
[00105]ｅＩ−ＤＲＸ構成マネージャ１０１５は、ｅＩ−ＤＲＸモードでの動作のために非レガシーＵＥを構成し得る。たとえば、ｅＩ−ＤＲＸ構成マネージャ１０１５は、デフォルトｅＩ−ＤＲＸサイクルを（たとえば、送信機９２０−ａを介して）ブロードキャストし得、非レガシーＵＥ１１５からＵＥ固有ｅＩ−ＤＲＸサイクルについての要求を（たとえば、受信機９１０−ａを介して）受信し得る。ｅＩ−ＤＲＸ構成マネージャ１０１５は、非レガシーＵＥ１１５の動作のためのパラメータ（たとえば、Ｔ’、ｎＢ’、Ｎ’、Ｎｓ’、ＵＥ＿ＩＤ’など）を決定し得、図４を参照しながら上記で説明したようにｅＩ−ＤＲＸモードで動作するＵＥのためのページングフレームとページングオケージョンとを決定し得る。
【０１０２】
[00106]図１１に、本開示の様々な態様による、ワイヤレス通信において使用するための基地局１０５−ｂ（たとえば、ｅＮＢの一部または全部を形成する基地局）のブロック図１１００を示す。いくつかの例では、基地局１０５−ｂは、図１および／または図２を参照しながら説明した基地局１０５のうちの１つまたは複数の態様、ならびに／あるいは図９および／または図１０を参照しながら説明したように、基地局として構成されたときの装置９０５のうちの１つまたは複数の態様の一例であり得る。基地局１０５−ｂは、図１、図２、図９、および／または図１０を参照しながら説明した基地局および／または装置の特徴および機能のうちの少なくともいくつかを実装するかまたは容易にするように構成され得る。
【０１０３】
[00107]基地局１０５−ｂは、基地局プロセッサモジュール１１１０、基地局メモリモジュール１１２０、１つまたは複数の基地局トランシーバモジュール１１５０、１つまたは複数の基地局アンテナ１２５５、および／または拡張ＤＲＸマネージャ９１５−ｂを含み得る。基地局１０５−ｂはまた、基地局通信モジュール１１３０および／またはネットワーク通信モジュール１１４０のうちの１つまたは複数を含み得る。これらのモジュールの各々は、１つまたは複数のバス１１３５上で、直接または間接的に互いと通信していることがある。
【０１０４】
[00108]基地局メモリモジュール１１２０は、ランダムアクセスメモリ（ＲＡＭ）および／または読取り専用メモリ（ＲＯＭ）を含み得る。基地局メモリモジュール１１２０は、実行されたとき、基地局プロセッサモジュール１１１０に、ワイヤレス通信に関係する本明細書で説明する様々な機能（たとえば、フレームインデックスをブロードキャストすること、ハイパーフレームインデックスをブロードキャストすること、デフォルトｅＩ−ＤＲＸサイクルをブロードキャストすること、ｅＩ−ＤＲＸモードでの動作のために非レガシーＵＥを構成すること、ハイパーフレームサイクルに従ってｅＩ−ＤＲＸモードにおける非レガシーＵＥをページングすることなど）を実行させるように構成された命令を含んでいるコンピュータ可読、コンピュータ実行可能ソフトウェア／ファームウェアコード１１２５を記憶し得る。代替的に、コンピュータ可読、コンピュータ実行可能ソフトウェア／ファームウェアコード１１２５は、基地局プロセッサモジュール１１１０によって直接的に実行可能でないことがあるが、（たとえば、コンパイルされ、実行されたとき）本明細書で説明する機能のうちのいくつかを基地局プロセッサモジュール１１１０に実行させるように構成され得る。
【０１０５】
[00109]基地局プロセッサモジュール１１１０は、インテリジェントハードウェアデバイス、たとえば、中央処理ユニット（ＣＰＵ）、マイクロコントローラ、ＡＳＩＣなどを含み得る。基地局プロセッサモジュール１１１０は、（１つまたは複数の）基地局トランシーバモジュール１１５０、基地局通信モジュール１１３０、および／またはネットワーク通信モジュール１１４０を通して受信された情報を処理し得る。基地局プロセッサモジュール１１１０はまた、（１つまたは複数の）アンテナ１１５５を通した送信のために（１つまたは複数の）トランシーバモジュール１１５０に送られるべき情報、１つまたは複数の他の基地局１０５−ｃおよび１０５−ｄへの送信のために基地局通信モジュール１１３０に送られるべき情報、ならびに／または図１を参照しながら説明したコアネットワーク１３０の１つまたは複数の態様の一例であり得る、コアネットワーク１３０−ａへの送信のためにネットワーク通信モジュール１１４０に送られるべき情報、を処理し得る。基地局プロセッサモジュール１１１０は、単独で、または拡張ＤＲＸマネージャ９１５−ｂとともに、ハイパーＳＦＮ拡張シグナリングを使用するｅＩ−ＤＲＸ動作の様々な態様を扱い得る。
【０１０６】
[00110]（１つまたは複数の）基地局トランシーバモジュール１１５０は、パケットを変調し、変調されたパケットを送信のために（１つまたは複数の）基地局アンテナ１１５５に与え、（１つまたは複数の）基地局アンテナ１１５５から受信されたパケットを復調するように構成されたモデムを含み得る。（１つまたは複数の）基地局トランシーバモジュール１１５０は、いくつかの例では、１つまたは複数の基地局送信機モジュールおよび１つまたは複数の別個の基地局受信機モジュールとして実装され得る。（１つまたは複数の）基地局トランシーバモジュール１１５０は、第１の無線周波数スペクトル帯域および／または第２の無線周波数スペクトル帯域における通信をサポートし得る。（１つまたは複数の）基地局トランシーバモジュール１１５０は、図１、図２、および／または図８を参照しながら説明したＵＥ１１５のうちの１つまたは複数など、１つまたは複数のＵＥまたは装置と、（１つまたは複数の）アンテナ１１５５を介して双方向に通信するように構成され得る。基地局１０５−ｂは、たとえば、複数の基地局アンテナ１１５５（たとえば、アンテナアレイ）を含み得る。基地局１０５−ｂは、ネットワーク通信モジュール１１４０を通してコアネットワーク１３０−ａと通信し得る。基地局１０５−ｂはまた、基地局通信モジュール１１３０を使用して、基地局１０５−ｃおよび１０５−ｄなど、他の基地局と通信し得る。
【０１０７】
[00111]拡張ＤＲＸマネージャ９１５−ｂは、ハイパーＳＦＮ拡張シグナリングを使用するｅＩ−ＤＲＸ動作に関係する、図２、図３、図４、図５、図９および／または図１０を参照しながら説明した特徴および／または機能の一部または全部を実行および／または制御するように構成され得る。拡張ＤＲＸマネージャ９１５−ｂはプロセッサを含み得、ならびに／あるいは拡張ＤＲＸマネージャ９１５−ｂの機能の一部または全部は、基地局プロセッサモジュール１１１０によっておよび／または基地局プロセッサモジュール１１１０とともに実行され得る。いくつかの例では、拡張ＤＲＸマネージャ９１５−ｂは、図９および／または図１０を参照しながら説明した拡張ＤＲＸマネージャ９１５の一例であり得る。
【０１０８】
[00112]図１２は、本開示の様々な態様による、ワイヤレス通信のための方法１２００の一例を示すフローチャートである。明快のために、方法１２００について、図１、図２および／または図８を参照しながら説明した非レガシーＵＥ１１５のうちの１つまたは複数の態様、ならびに／あるいは図６および図７を参照しながら説明したデバイス６０５のうちの１つまたは複数の態様に関して以下で説明する。いくつかの例では、ＵＥ１１５は、以下で説明する機能を実行するようにＵＥ１１５の機能要素を制御するためのコードの１つまたは複数のセットを実行し得る。追加または代替として、ＵＥ１１５は、専用ハードウェアを使用して以下で説明する機能のうちの１つまたは複数を実行し得る。
【０１０９】
[00113]ブロック１２０５において、方法１２００は、反復フレームサイクルのフレーム番号を示すフレームインデックスを受信することを含み得る。いくつかの場合には、フレームインデックスは計算されるか、または場合によっては決定され得る。フレームサイクルは、たとえば、第１のＤＲＸモード（たとえば、Ｉ−ＤＲＸモード）のためにレガシーＵＥによって利用されるフレームサイクルと同じであり得る。フレームインデックスは物理ブロードキャストチャネルを介して受信され得る。
【０１１０】
[00114]ブロック１２１０において、方法１２００は、反復ハイパーフレームサイクルのハイパーフレームインデックスを受信することを含み得る。各ハイパーフレームサイクルは、たとえば、複数のフレームサイクルを含み得る。ハイパーフレームインデックスは物理ダウンリンクデータチャネルを介して受信され得る。
【０１１１】
[00115]ブロック１２１５において、方法１２００は、拡張ＤＲＸサイクルのための構成を識別することを含み得る。拡張ＤＲＸサイクルは、第２のＤＲＸモード（たとえば、ｅＩ−ＤＲＸモード）での動作のために使用され得る。拡張ＤＲＸサイクルは、たとえば、レガシーＵＥによって使用されるＩ−ＤＲＸモードのために利用可能な最大ＤＲＸサイクルよりも大きくなり得る。
【０１１２】
[00116]ブロック１２２０において、方法１２００は、拡張ＤＲＸサイクルに従ってハイパーフレームサイクルの少なくとも１つのページングオケージョンを監視することを含み得る。少なくとも１つのページングオケージョンは、フレームサイクル中のインデックスの数よりも大きい可能な値の範囲を有する拡張ＵＥ識別子に基づいて決定され得る。
【０１１３】
[00117]ブロック１２２０においてページング情報が存在する場合、方法１２００は、ページング情報を受信することを含み得る。ページング情報は、第１のＤＲＸモードでページングするために使用されるＰ−ＲＮＴＩ、またはＰ−ＲＮＴＩとは異なるｅＰ−ＲＮＴＩを使用して識別され得る。
【０１１４】
[00118]図１３は、本開示の様々な態様による、ワイヤレス通信のための方法１３００の一例を示すフローチャートである。明快のために、方法１３００について、図１、図２および／または図１１を参照しながら説明したｅＮＢ１０５のうちの１つまたは複数の態様、ならびに／あるいは図９および図１０を参照しながら説明したデバイス９０５のうちの１つまたは複数の態様に関して以下で説明する。いくつかの例では、ｅＮＢ１０５は、以下で説明する機能を実行するようにｅＮＢ１０５の機能要素を制御するためのコードの１つまたは複数のセットを実行し得る。追加または代替として、ｅＮＢ１０５は、専用ハードウェアを使用して以下で説明する機能のうちの１つまたは複数を実行し得る。方法１３００は、たとえば、ハイパーＳＦＮ拡張シグナリングを使用してＤＲＸ動作を拡張するために使用され得る。
【０１１５】
[00119]ブロック１３０５において、方法１３００は、フレームインデックスをブロードキャストすることを含み得、フレームインデックスは、少なくとも１つのレガシーユーザ機器（ＵＥ）によって第１のＤＲＸモードのために利用される反復フレームサイクルのフレーム番号を示す。いくつかの場合には、フレームインデックスは、少なくとも１つのレガシーＵＥによって第１のＤＲＸモードのために利用される反復フレームサイクルのフレーム番号を計算するか、または場合によっては決定するために使用され得る。フレームインデックスをブロードキャストすることは、物理ブロードキャストチャネル（たとえば、ＭＩＢなどで）を介してフレームインデックスを送信することによって実行され得る。
【０１１６】
[00120]ブロック１３０５において、方法１３００は、反復ハイパーフレームサイクルのハイパーフレームインデックスをブロードキャストすることを含み得、各ハイパーフレームサイクルは複数のフレームサイクルを備え、少なくとも１つの非レガシーＵＥによって第２のＤＲＸモードのために利用される。ハイパーフレームインデックスをブロードキャストすることは、物理ダウンリンクデータチャネルを介して（たとえば、ＳＩＢにおいてなど）ハイパーフレームインデックスを送信することによって実行され得る。
【０１１７】
[00121]図１４は、本開示の様々な態様による、ワイヤレス通信のための方法１４００の一例を示すフローチャートである。明快のために、方法１３００について、図１、図２および／または図１１を参照しながら説明したｅＮＢ１０５のうちの１つまたは複数の態様、ならびに／あるいは図９および図１０を参照しながら説明したデバイス９０５のうちの１つまたは複数の態様に関して以下で説明する。いくつかの例では、ｅＮＢ１０５は、以下で説明する機能を実行するようにｅＮＢ１０５の機能要素を制御するためのコードの１つまたは複数のセットを実行し得る。追加または代替として、ｅＮＢ１０５は、専用ハードウェアを使用して以下で説明する機能のうちの１つまたは複数を実行し得る。方法１４００は、たとえば、ハイパーＳＦＮ拡張シグナリングを使用してＤＲＸ動作を拡張するために使用され得る。
【０１１８】
[00122]ブロック１３０５−ａにおいて、方法１４００は、フレームインデックスをブロードキャストすることを含み得、フレームインデックスは、少なくとも１つのレガシーユーザ機器（ＵＥ）によって第１のＤＲＸモードのために利用される反復フレームサイクルのフレーム番号を示す。
【０１１９】
[00123]ブロック１３０５−ｂにおいて、方法１４００は、反復ハイパーフレームサイクルのハイパーフレームインデックスをブロードキャストすることを含み得、各ハイパーフレームサイクルは複数のフレームサイクルを備え、少なくとも１つの非レガシーＵＥによって第２のＤＲＸモードのために利用される。
【０１２０】
[00124]ブロック１４１５において、方法１４００は、第２のＤＲＸモードのための拡張ＤＲＸサイクルをブロードキャストすることを含み得る。
【０１２１】
[00125]ブロック１４２０において、方法１４００は、システム情報の修正をｅＩ−ＤＲＸサイクルに同期させることを含み得る。たとえば、拡張システム情報修正期間は、セルのためのデフォルトｅＩ−ＤＲＸサイクルに基づいて決定され得る。したがって、システム情報の修正は、最長ｅＩ−ＤＲＸサイクルの境界において生じることを可能にされ得る。いくつかの例では、レガシーＵＥのための修正指示は、拡張システム情報修正期間内の最後の修正期間中にページングメッセージ中で送られ得る。
【０１２２】
[00126]ブロック１４２５において、方法１４００は、第１のＤＲＸモードのために利用可能な最大ＤＲＸサイクルよりも大きい拡張ＤＲＸサイクルに従って、第２のＤＲＸモードのために少なくとも１つの非レガシーＵＥを構成することを含み得る。
【０１２３】
[00127]ブロック１４３０において、方法１４００は、拡張ＤＲＸサイクルのページングオケージョンにおいて少なくとも１つの非レガシーＵＥのためのページング情報を送信することを含み得る。ページング情報は、ページング情報を受信するために少なくとも１つのレガシーＵＥによって使用される第１のＲＮＴＩとは異なる第２のＲＮＴＩ（たとえば、ｅＰ−ＲＮＴＩ）によって識別され得る。
【０１２４】
[00128]いくつかの例では、方法１２００、１３００、および／または１４００のうちの２つまたはそれ以上からの態様が組み合わせられ得る。方法１２００、１３００、および１４００は例示的な実装形態にすぎないこと、および方法１２００、１３００、および１４００の動作は、他の実装形態が可能であるように、並べ替えられるかまたは場合によっては変更され得ることに留意されたい。
【０１２５】
[00129]本明細書で説明する技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサル・モバイル通信システム（ＵＭＴＳ：Universal Mobile Telecommunication System）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、無認可および／または共有帯域幅を介したセルラー（たとえば、ＬＴＥ）通信を含む、上述のシステムおよび無線技術、ならびに他のシステムおよび無線技術のために使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０１２６】
[00130]添付の図面に関して上記に記載された詳細な説明は、例について説明しており、実装され得るまたは特許請求の範囲内に入る例のみを表すものではない。「例」および「例示的」という語は、この説明で使用されるとき、「例、事例、または例示の働きをすること」を意味し、「好ましい」または「他の例よりも有利な」を意味しない。詳細な説明は、説明する技法の理解を与えるための具体的な詳細を含む。ただし、これらの技法は、これらの具体的な詳細なしに実施され得る。いくつかの事例では、説明した例の概念を不明瞭にすることを回避するために、よく知られている構造および装置がブロック図の形式で示されている。
【０１２７】
[00131]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２８】
[00132]本明細書の開示に関して説明した様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０１２９】
[00133]本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態が、本開示および添付の特許請求の範囲の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１３０】
[00134]コンピュータ可読媒体は、ある場所から別の場所へのコンピュータプログラムの転送を可能にする任意の媒体を含む通信媒体と、非一時的コンピュータ記憶媒体との両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１３１】
[00135]本開示についての以上の説明は、当業者が本開示を作成または使用することができるように与えたものである。本開示への様々な変更は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に合致する最も広い範囲を与えられるべきである。
以下に本願の出願当初の特許請求の範囲に記載された発明を付記する。
[Ｃ１]  ワイヤレス通信システムにおける間欠受信（ＤＲＸ）動作のための方法であって、
フレームインデックスをブロードキャストすることと、前記フレームインデックスが、少なくとも１つのレガシーユーザ機器（ＵＥ）によって第１のＤＲＸモードのために利用される反復フレームサイクルのフレーム番号を決定するために使用される、
反復ハイパーフレームサイクルのハイパーフレームインデックスをブロードキャストすることと、各ハイパーフレームサイクルが複数のフレームサイクルを備え、少なくとも１つの非レガシーＵＥによって第２のＤＲＸモードのために利用される、を備える、方法。
[Ｃ２]  前記第１のＤＲＸモードのために利用可能な最大ＤＲＸサイクルよりも大きい拡張ＤＲＸサイクルに従って、前記第２のＤＲＸモードのために前記少なくとも１つの非レガシーＵＥを構成することをさらに備える、Ｃ１に記載の方法。
[Ｃ３]  前記第２のＤＲＸモードのための前記拡張ＤＲＸサイクルをブロードキャストすることをさらに備える、Ｃ２に記載の方法。
[Ｃ４]  前記拡張ＤＲＸサイクルのページングオケージョンにおいて前記少なくとも１つの非レガシーＵＥのためのページング情報を送信することをさらに備える、Ｃ２に記載の方法。
[Ｃ５]  前記ページング情報が、ページング情報を受信するために前記少なくとも１つのレガシーＵＥによって使用される第１の無線ネットワーク一時識別子（ＲＮＴＩ）とは異なる第２のＲＮＴＩによって識別される、Ｃ４に記載の方法。
[Ｃ６]  前記ハイパーフレームインデックスをブロードキャストすることが、前記フレームインデックスをブロードキャストするために使用される第１の情報ブロックとは異なる第２の情報ブロックを使用して、前記ハイパーフレームインデックスを送信することを備える、Ｃ１に記載の方法。
[Ｃ７]  システム情報の修正を拡張ＤＲＸサイクルに同期させることをさらに備える、Ｃ１に記載の方法。
[Ｃ８]  前記フレームインデックスをブロードキャストすることが、物理ブロードキャストチャネルを介して前記フレームインデックスを送信することを備える、Ｃ１に記載の方法。
[Ｃ９]  前記ハイパーフレームインデックスをブロードキャストすることが、物理ダウンリンクデータチャネルを介してシステム情報ブロック（ＳＩＢ）中で前記ハイパーフレームインデックスを送信することを備える、Ｃ１に記載の方法。
[Ｃ１０]  前記第２のＤＲＸモードがアイドルＤＲＸ（Ｉ−ＤＲＸ）モードを備える、Ｃ１に記載の方法。
[Ｃ１１]  ワイヤレス通信システムにおける間欠受信（ＤＲＸ）動作のための方法であって、
フレームインデックスを計算することと、前記フレームインデックスが、第１のＤＲＸモードのためにレガシーユーザ機器（ＵＥ）によって利用される反復フレームサイクルのフレーム番号を示す、
反復ハイパーフレームサイクルのハイパーフレームインデックスを受信することと、
前記フレームインデックスと前記ハイパーフレームインデックスとに基づいて、反復拡張フレームサイクルの拡張フレームインデックスを決定することと、
第２のＤＲＸモードの拡張ＤＲＸサイクルのための構成を識別することと、ここにおいて、前記拡張ＤＲＸサイクルが、前記第１のＤＲＸモードのために利用可能な最大ＤＲＸサイクルよりも大きい、
前記拡張ＤＲＸサイクルに従って前記拡張フレームサイクルの少なくとも１つのページングオケージョンを監視することとを備える、方法。
[Ｃ１２]  前記反復フレームサイクルのインデックスの数よりも大きい可能な値の範囲を有する拡張ＵＥ識別子に基づいて、前記少なくとも１つのページングオケージョンを決定することをさらに備える、Ｃ１１に記載の方法。
[Ｃ１３]  前記少なくとも１つのページングオケージョンにおいてページング情報を受信することをさらに備える、Ｃ１１に記載の方法。
[Ｃ１４]  前記ページング情報が、ページング情報を受信するために前記レガシーＵＥによって使用される第１の無線ネットワーク一時識別子（ＲＮＴＩ）とは異なる第２のＲＮＴＩによって識別される、Ｃ１３に記載の方法。
[Ｃ１５]  前記フレームインデックスを計算することが、物理ブロードキャストチャネルを介して前記フレームインデックスを受信することを備える、Ｃ１１に記載の方法。
[Ｃ１６]  前記ハイパーフレームインデックスを受信することが、物理ダウンリンクデータチャネルを介してシステム情報ブロック（ＳＩＢ）中で前記ハイパーフレームインデックスを受信することを備える、Ｃ１１に記載の方法。
[Ｃ１７]  前記第２のＤＲＸモードがアイドルＤＲＸ（Ｉ−ＤＲＸ）モードを備える、Ｃ１１に記載の方法。
[Ｃ１８]  ワイヤレス通信システムにおける間欠受信（ＤＲＸ）動作のための装置であって、
プロセッサと、
前記プロセッサと電子通信しているメモリ、および前記メモリに記憶された命令とを備え、前記命令は、
フレームインデックスをブロードキャストすることと、前記フレームインデックスが、少なくとも１つのレガシーユーザ機器（ＵＥ）によって第１のＤＲＸモードのために利用される反復フレームサイクルのフレーム番号を決定するために使用される、
反復ハイパーフレームサイクルのハイパーフレームインデックスをブロードキャストすることと、各ハイパーフレームサイクルが複数のフレームサイクルを備え、少なくとも１つの非レガシーＵＥによって第２のＤＲＸモードのために利用される、を行うために前記プロセッサによって実行可能である、装置。
[Ｃ１９]  前記命令が、
前記第１のＤＲＸモードのために利用可能な最大ＤＲＸサイクルよりも大きい拡張ＤＲＸサイクルに従って、前記第２のＤＲＸモードのために前記少なくとも１つの非レガシーＵＥを構成するために前記プロセッサによってさらに実行可能である、Ｃ１８に記載の装置。
[Ｃ２０]  前記命令が、
前記第２のＤＲＸモードのための前記拡張ＤＲＸサイクルをブロードキャストするために前記プロセッサによってさらに実行可能である、Ｃ１９に記載の装置。
[Ｃ２１]  前記命令が、
前記拡張ＤＲＸサイクルのページングオケージョンにおいて前記少なくとも１つの非レガシーＵＥのためのページング情報を送信するために前記プロセッサによってさらに実行可能である、Ｃ１９に記載の装置。
[Ｃ２２]  前記ページング情報が、ページング情報を受信するために前記少なくとも１つのレガシーＵＥによって使用される第１の無線ネットワーク一時識別子（ＲＮＴＩ）とは異なる第２のＲＮＴＩによって識別される、Ｃ２１に記載の装置。
[Ｃ２３]  前記ハイパーフレームインデックスをブロードキャストすることが、前記フレームインデックスをブロードキャストするために使用される第１の情報ブロックとは異なる第２の情報ブロックを使用して、前記ハイパーフレームインデックスを送信することを備える、Ｃ１８に記載の装置。
[Ｃ２４]  前記命令が、
システム情報の修正を拡張ＤＲＸサイクルに同期させるために前記プロセッサによってさらに実行可能である、Ｃ１８に記載の装置。
[Ｃ２５]  ワイヤレス通信システムにおける間欠受信（ＤＲＸ）動作のための装置であって、
プロセッサと、
前記プロセッサと電子通信しているメモリ、および前記メモリに記憶された命令とを備え、前記命令は、
フレームインデックスを計算することと、前記フレームインデックスが、第１のＤＲＸモードのためにレガシーユーザ機器（ＵＥ）によって利用される反復フレームサイクルのフレーム番号を示す、
反復ハイパーフレームサイクルのハイパーフレームインデックスを受信することと、
前記フレームインデックスと前記ハイパーフレームインデックスとに基づいて、反復拡張フレームサイクルの拡張フレームインデックスを決定することと、
第２のＤＲＸモードの拡張ＤＲＸサイクルのための構成を識別することと、ここにおいて、前記拡張ＤＲＸサイクルが、前記第１のＤＲＸモードのために利用可能な最大ＤＲＸサイクルよりも大きい、
前記拡張ＤＲＸサイクルに従って前記拡張フレームサイクルの少なくとも１つのページングオケージョンを監視することとを行うために前記プロセッサによって実行可能である、装置。
[Ｃ２６]  前記命令が、
前記反復フレームサイクルのインデックスの数よりも大きい可能な値の範囲を有する拡張ＵＥ識別子に基づいて、前記少なくとも１つのページングオケージョンを決定するために前記プロセッサによってさらに実行可能である、Ｃ２５に記載の装置。
[Ｃ２７]  前記命令が、
前記少なくとも１つのページングオケージョンにおいてページング情報を受信するために前記プロセッサによってさらに実行可能である、Ｃ２５に記載の装置。
[Ｃ２８]  前記ページング情報が、ページング情報を受信するために前記レガシーＵＥによって使用される第１の無線ネットワーク一時識別子（ＲＮＴＩ）とは異なる第２のＲＮＴＩによって識別される、Ｃ２７に記載の装置。
[Ｃ２９]  前記フレームインデックスを計算することが、物理ブロードキャストチャネルを介して前記フレームインデックスを受信することを備える、Ｃ２５に記載の装置。
[Ｃ３０]  前記ハイパーフレームインデックスを受信することが、物理ダウンリンクデータチャネルを介してシステム情報ブロック（ＳＩＢ）中で前記ハイパーフレームインデックスを受信することを備える、Ｃ２５に記載の装置。
【図１】
0006577019.tif 000007
【図２】
0006577019.tif 000008
【図３】
0006577019.tif 000009
【図４】
0006577019.tif 000010
【図５】
0006577019.tif 000011
【図６】
0006577019.tif 000012
【図７】
0006577019.tif 000013
【図８】
0006577019.tif 000014
【図９】
0006577019.tif 000015
【図１０】
0006577019.tif 000016
【図１１】
0006577019.tif 000017
【図１２】
0006577019.tif 000018
【図１３】
0006577019.tif 000019
【図１４】
0006577019.tif 000020